(57)【要約】  基地局装置と端末装置が、ＰＤＳＣＨを用いて効率的に通信する。基地局装置と端末装置は、ＰＤＳＣＨでの送信に関連する送信モード、ＰＤＳＣＨの割り当てに用いられるＤＣＩフォーマット、ＰＤＳＣＨの送信に用いられるアンテナポート、および、ＰＤＳＣＨが受信されるサービングセルに対するパラメータセットから決定される上位層のパラメータに基づいて、サービングセルのＰＤＳＣＨに対するＯＦＤＭシンボルの開始位置を決定する。
2014069601.tif 000002
【特許請求の範囲】
【請求項１】
ある１つのサービングセルにおいてＰＤＳＣＨでの送信を基地局装置から受信する端末装置において、
前記サービングセルに対して、前記ＰＤＳＣＨでの送信に関連する送信モード１から１０の何れかを設定し、
前記サービングセルに対して前記送信モード１０が設定される場合、前記ＰＤＳＣＨを復号するために、パラメータセット１を少なくとも含む４つまでのパラメータセットを設定する設定部と、
前記サービングセルの前記ＰＤＳＣＨに対するＯＦＤＭシンボルの開始位置を、あるサブフレームの第１のスロットにおけるインデックスlDataStartに基づいて決定する受信部と、を備え、
前記サービングセルに対して前記送信モード１０が設定されており、前記ＰＤＳＣＨがＣ−ＲＮＴＩによってスクランブルされたＣＲＣパリティビットが付加されたＤＣＩフォーマット１ＡをともなうＰＤＣＣＨによって割り当てられ、前記ＰＤＳＣＨが少なくともアンテナポート０を用いて送信され、且つ、前記ＰＤＳＣＨおよび前記ＰＤＳＣＨに対応する前記ＰＤＣＣＨが同じ前記サービングセルにおいて受信される場合、前記サービングセルの前記あるサブフレームにおけるコントロールフォーマットインディケータの値に基づいて前記インデックスlDataStartが与えられ、
前記サービングセルに対して前記送信モード１０が設定されており、前記ＰＤＳＣＨが前記ＤＣＩフォーマット１Ａをともなう前記ＰＤＣＣＨによって割り当てられ、前記ＰＤＳＣＨがアンテナポート７を用いて送信され、且つ、前記ＰＤＳＣＨが受信される前記サービングセルに対する前記パラメータセット１から決定される上位層のパラメータの値が｛１、２、３、４｝に属する場合、前記ＰＤＳＣＨが受信される前記サービングセルに対する前記パラメータセット１から決定される前記上位層のパラメータの値に基づいて前記インデックスlDataStartが与えられ、
前記サービングセルに対して前記送信モード１０が設定されており、前記ＰＤＳＣＨが前記ＤＣＩフォーマット１Ａをともなう前記ＰＤＣＣＨによって割り当てられ、前記ＰＤＳＣＨが前記アンテナポート７を用いて送信され、且つ、前記ＰＤＳＣＨが受信される前記サービングセルに対する前記パラメータセット１から決定される前記上位層のパラメータの値が｛１、２、３、４｝以外に属し、且つ、前記ＰＤＳＣＨおよび前記ＰＤＳＣＨに対応する前記ＰＤＣＣＨが同じ前記サービングセルにおいて受信される場合、前記サービングセルの前記あるサブフレームにおける前記コントロールフォーマットインディケータの値に基づいて前記インデックスlDataStartが与えられることを特徴とする端末装置。
【請求項２】
前記サービングセルに対して前記送信モード１０が設定されており、且つ、前記ＰＤＳＣＨがＤＣＩフォーマット１Ｃをともなう前記ＰＤＣＣＨによって割り当てられる場合、前記サービングセルの前記あるサブフレームにおける前記コントロールフォーマットインディケータの値に基づいて前記インデックスlDataStartが与えられることを特徴とする請求項１に記載の端末装置。
【請求項３】
前記サービングセルに対して前記送信モード１から９の何れかが設定されており、且つ、前記ＰＤＳＣＨおよび前記ＰＤＳＣＨに対応する前記ＰＤＣＣＨが同じ前記サービングセルにおいて受信される場合、前記サービングセルの前記あるサブフレームにおける前記コントロールフォーマットインディケータの値に基づいて前記インデックスlDataStartが与えられることを特徴とする請求項１または２に記載の端末装置。
【請求項４】
前記サービングセルに対して前記送信モード１０が設定されており、前記ＰＤＳＣＨがＤＣＩフォーマット２Ｄをともなう前記ＰＤＣＣＨによって割り当てられ、且つ、前記ＰＤＳＣＨが受信される前記サービングセルに対する下りリンク制御情報に基づいて前記４つまでのパラメータセットから特定される１つのパラメータセットから決定される前記上位層のパラメータの値が｛１、２、３、４｝に属する場合、前記ＰＤＳＣＨが受信される前記サービングセルに対する前記下りリンク制御情報に基づいて前記４つまでのパラメータセットから特定される前記１つのパラメータセットから決定される前記上位層のパラメータの値に基づいて前記インデックスlDataStartが与えられ、
前記サービングセルに対して前記送信モード１０が設定されており、前記ＰＤＳＣＨが前記ＤＣＩフォーマット２Ｄをともなう前記ＰＤＣＣＨによって割り当てられ、且つ、前記ＰＤＳＣＨが受信される前記サービングセルに対する前記下りリンク制御情報に基づいて前記４つまでのパラメータセットから特定される前記１つのパラメータセットから決定される前記上位層のパラメータの値が｛１、２、３、４｝以外に属し、且つ、前記ＰＤＳＣＨおよび前記ＰＤＳＣＨに対応する前記ＰＤＣＣＨが同じ前記サービングセルにおいて受信される場合、前記サービングセルの前記あるサブフレームにおける前記コントロールフォーマットインディケータの値に基づいて前記インデックスlDataStartが与えられることを特徴とする請求項１から３の何れかに記載の端末装置。
【請求項５】
前記サービングセルに対して前記送信モード１０が設定されており、前記ＰＤＳＣＨが前記ＤＣＩフォーマット１Ａをともなう前記ＰＤＣＣＨによって割り当てられ、前記ＰＤＳＣＨが前記アンテナポート７を用いて送信され、且つ、前記ＰＤＳＣＨが受信される前記サービングセルに対する前記パラメータセット１から決定される前記上位層のパラメータの値が｛１、２、３、４｝に属する場合、前記ＰＤＳＣＨが受信される前記サービングセルに対する前記パラメータセット１から決定される前記上位層のパラメータの値に基づいて第２のインデックスl'DataStartが与えられ、
前記サービングセルに対して前記送信モード１０が設定されており、前記ＰＤＳＣＨが前記ＤＣＩフォーマット１Ａをともなう前記ＰＤＣＣＨによって割り当てられ、前記ＰＤＳＣＨが前記アンテナポート７を用いて送信され、且つ、前記ＰＤＳＣＨが受信される前記サービングセルに対する前記パラメータセット１から決定される前記上位層のパラメータの値が｛１、２、３、４｝以外に属し、且つ、前記ＰＤＳＣＨおよび前記ＰＤＳＣＨに対応する前記ＰＤＣＣＨが同じ前記サービングセルにおいて受信される場合、前記サービングセルの前記あるサブフレームにおける前記コントロールフォーマットインディケータの値に基づいて前記第２のインデックスl'DataStartが与えられ、
前記サービングセルに対して前記送信モード１０が設定されており、前記ＰＤＳＣＨが前記ＤＣＩフォーマット１Ａをともなう前記ＰＤＣＣＨによって割り当てられ、且つ、前記ＰＤＳＣＨが前記アンテナポート７を用いて送信される場合、前記ＰＤＳＣＨが受信される前記サービングセルに対する前記パラメータセット１から決定される上位層の第２のパラメータおよび前記第２のインデックスl'DataStartに少なくとも基づいて前記インデックスlDataStartが与えられることを特徴とする請求項４に記載の端末装置。
【請求項６】
前記サービングセルに対して前記送信モード１０が設定されており、前記ＰＤＳＣＨが前記ＤＣＩフォーマット２Ｄをともなう前記ＰＤＣＣＨによって割り当てられ、且つ、前記ＰＤＳＣＨが受信される前記サービングセルに対する前記下りリンク制御情報に基づいて前記４つまでのパラメータセットから特定される前記１つのパラメータセットから決定される前記上位層のパラメータの値が｛１、２、３、４｝に属する場合、前記ＰＤＳＣＨが受信される前記サービングセルに対する前記下りリンク制御情報に基づいて前記４つまでのパラメータセットから特定される前記１つのパラメータセットから決定される前記上位層のパラメータの値に基づいて前記第２のインデックスl'DataStartが与えられ、
前記サービングセルに対して前記送信モード１０が設定されており、前記ＰＤＳＣＨが前記ＤＣＩフォーマット２Ｄをともなう前記ＰＤＣＣＨによって割り当てられ、且つ、前記ＰＤＳＣＨが受信される前記サービングセルに対する前記下りリンク制御情報に基づいて前記４つまでのパラメータセットから特定される前記１つのパラメータセットから決定される前記上位層のパラメータの値が｛１、２、３、４｝以外に属し、且つ、前記ＰＤＳＣＨおよび前記ＰＤＳＣＨに対応する前記ＰＤＣＣＨが同じ前記サービングセルにおいて受信される場合、前記サービングセルの前記あるサブフレームにおける前記コントロールフォーマットインディケータの値に基づいて前記第２のインデックスl'DataStartが与えられ、
前記サービングセルに対して前記送信モード１０が設定されており、前記ＰＤＳＣＨが前記ＤＣＩフォーマット２Ｄをともなう前記ＰＤＣＣＨによって割り当てられる場合、前記ＰＤＳＣＨが受信される前記サービングセルに対する前記下りリンク制御情報に基づいて前記４つまでのパラメータセットから特定される前記１つのパラメータセットから決定される前記上位層の第２のパラメータおよび前記第２のインデックスl'DataStartに少なくとも基づいて前記インデックスlDataStartが与えられることを特徴とする請求項５に記載の端末装置。
【請求項７】
ある１つのサービングセルにおいてＰＤＳＣＨでの送信を基地局装置から受信する端末装置に実装される集積回路であって、
前記サービングセルに対して、前記ＰＤＳＣＨでの送信に関連する送信モード１から１０の何れかを設定する機能と、
前記サービングセルに対して前記送信モード１０が設定される場合、前記ＰＤＳＣＨを復号するために、パラメータセット１を少なくとも含む４つまでのパラメータセットを設定する機能と、
前記サービングセルの前記ＰＤＳＣＨに対するＯＦＤＭシンボルの開始位置を、あるサブフレームの第１のスロットにおけるインデックスlDataStartに基づいて決定する機能と、を含む一連の機能を前記端末装置に発揮させ、
前記サービングセルに対して前記送信モード１０が設定されており、前記ＰＤＳＣＨがＣ−ＲＮＴＩによってスクランブルされたＣＲＣパリティビットが付加されたＤＣＩフォーマット１ＡをともなうＰＤＣＣＨによって割り当てられ、前記ＰＤＳＣＨが少なくともアンテナポート０を用いて送信され、且つ、前記ＰＤＳＣＨおよび前記ＰＤＳＣＨに対応する前記ＰＤＣＣＨが同じ前記サービングセルにおいて受信される場合、前記サービングセルの前記あるサブフレームにおけるコントロールフォーマットインディケータの値に基づいて前記インデックスlDataStartが与えられ、
前記サービングセルに対して前記送信モード１０が設定されており、前記ＰＤＳＣＨが前記ＤＣＩフォーマット１Ａをともなう前記ＰＤＣＣＨによって割り当てられ、前記ＰＤＳＣＨがアンテナポート７を用いて送信され、且つ、前記ＰＤＳＣＨが受信される前記サービングセルに対する前記パラメータセット１から決定される上位層のパラメータの値が｛１、２、３、４｝に属する場合、前記ＰＤＳＣＨが受信される前記サービングセルに対する前記パラメータセット１から決定される前記上位層のパラメータの値に基づいて前記インデックスlDataStartが与えられ、
前記サービングセルに対して前記送信モード１０が設定されており、前記ＰＤＳＣＨが前記ＤＣＩフォーマット１Ａをともなう前記ＰＤＣＣＨによって割り当てられ、前記ＰＤＳＣＨが前記アンテナポート７を用いて送信され、且つ、前記ＰＤＳＣＨが受信される前記サービングセルに対する前記パラメータセット１から決定される前記上位層のパラメータの値が｛１、２、３、４｝以外に属し、且つ、前記ＰＤＳＣＨおよび前記ＰＤＳＣＨに対応する前記ＰＤＣＣＨが同じ前記サービングセルにおいて受信される場合、前記サービングセルの前記あるサブフレームにおける前記コントロールフォーマットインディケータの値に基づいて前記インデックスlDataStartが与えられることを特徴とする集積回路。
【請求項８】
前記サービングセルに対して前記送信モード１０が設定されており、且つ、前記ＰＤＳＣＨがＤＣＩフォーマット１Ｃをともなう前記ＰＤＣＣＨによって割り当てられる場合、前記サービングセルの前記あるサブフレームにおける前記コントロールフォーマットインディケータの値に基づいて前記インデックスlDataStartが与えられることを特徴とする請求項７に記載の集積回路。
【請求項９】
前記サービングセルに対して前記送信モード１から９の何れかが設定されており、且つ、前記ＰＤＳＣＨおよび前記ＰＤＳＣＨに対応する前記ＰＤＣＣＨが同じ前記サービングセルにおいて受信される場合、前記サービングセルの前記あるサブフレームにおける前記コントロールフォーマットインディケータの値に基づいて前記インデックスlDataStartが与えられることを特徴とする請求項７または８に記載の集積回路。
【請求項１０】
前記サービングセルに対して前記送信モード１０が設定されており、前記ＰＤＳＣＨがＤＣＩフォーマット２Ｄをともなう前記ＰＤＣＣＨによって割り当てられ、且つ、前記ＰＤＳＣＨが受信される前記サービングセルに対する下りリンク制御情報に基づいて前記４つまでのパラメータセットから特定される１つのパラメータセットから決定される前記上位層のパラメータの値が｛１、２、３、４｝に属する場合、前記ＰＤＳＣＨが受信される前記サービングセルに対する前記下りリンク制御情報に基づいて前記４つまでのパラメータセットから特定される前記１つのパラメータセットから決定される前記上位層のパラメータの値に基づいて前記インデックスlDataStartが与えられ、
前記サービングセルに対して前記送信モード１０が設定されており、前記ＰＤＳＣＨが前記ＤＣＩフォーマット２Ｄをともなう前記ＰＤＣＣＨによって割り当てられ、且つ、前記ＰＤＳＣＨが受信される前記サービングセルに対する前記下りリンク制御情報に基づいて前記４つまでのパラメータセットから特定される前記１つのパラメータセットから決定される前記上位層のパラメータの値が｛１、２、３、４｝以外に属し、且つ、前記ＰＤＳＣＨおよび前記ＰＤＳＣＨに対応する前記ＰＤＣＣＨが同じ前記サービングセルにおいて受信される場合、前記サービングセルの前記あるサブフレームにおける前記コントロールフォーマットインディケータの値に基づいて前記インデックスlDataStartが与えられることを特徴とする請求項７から９の何れかに記載の集積回路。
【請求項１１】
前記サービングセルに対して前記送信モード１０が設定されており、前記ＰＤＳＣＨが前記ＤＣＩフォーマット１Ａをともなう前記ＰＤＣＣＨによって割り当てられ、前記ＰＤＳＣＨが前記アンテナポート７を用いて送信され、且つ、前記ＰＤＳＣＨが受信される前記サービングセルに対する前記パラメータセット１から決定される前記上位層のパラメータの値が｛１、２、３、４｝に属する場合、前記ＰＤＳＣＨが受信される前記サービングセルに対する前記パラメータセット１から決定される前記上位層のパラメータの値に基づいて第２のインデックスl'DataStartが与えられ、
前記サービングセルに対して前記送信モード１０が設定されており、前記ＰＤＳＣＨが前記ＤＣＩフォーマット１Ａをともなう前記ＰＤＣＣＨによって割り当てられ、前記ＰＤＳＣＨが前記アンテナポート７を用いて送信され、且つ、前記ＰＤＳＣＨが受信される前記サービングセルに対する前記パラメータセット１から決定される前記上位層のパラメータの値が｛１、２、３、４｝以外に属し、且つ、前記ＰＤＳＣＨおよび前記ＰＤＳＣＨに対応する前記ＰＤＣＣＨが同じ前記サービングセルにおいて受信される場合、前記サービングセルの前記あるサブフレームにおける前記コントロールフォーマットインディケータの値に基づいて前記第２のインデックスl'DataStartが与えられ、
前記サービングセルに対して前記送信モード１０が設定されており、前記ＰＤＳＣＨが前記ＤＣＩフォーマット１Ａをともなう前記ＰＤＣＣＨによって割り当てられ、且つ、前記ＰＤＳＣＨが前記アンテナポート７を用いて送信される場合、前記ＰＤＳＣＨが受信される前記サービングセルに対する前記パラメータセット１から決定される上位層の第２のパラメータおよび前記第２のインデックスl'DataStartに少なくとも基づいて前記インデックスlDataStartが与えられることを特徴とする請求項１０に記載の集積回路。
【請求項１２】
前記サービングセルに対して前記送信モード１０が設定されており、前記ＰＤＳＣＨが前記ＤＣＩフォーマット２Ｄをともなう前記ＰＤＣＣＨによって割り当てられ、且つ、前記ＰＤＳＣＨが受信される前記サービングセルに対する前記下りリンク制御情報に基づいて前記４つまでのパラメータセットから特定される前記１つのパラメータセットから決定される前記上位層のパラメータの値が｛１、２、３、４｝に属する場合、前記ＰＤＳＣＨが受信される前記サービングセルに対する前記下りリンク制御情報に基づいて前記４つまでのパラメータセットから特定される前記１つのパラメータセットから決定される前記上位層のパラメータの値に基づいて前記第２のインデックスl'DataStartが与えられ、
前記サービングセルに対して前記送信モード１０が設定されており、前記ＰＤＳＣＨが前記ＤＣＩフォーマット２Ｄをともなう前記ＰＤＣＣＨによって割り当てられ、且つ、前記ＰＤＳＣＨが受信される前記サービングセルに対する前記下りリンク制御情報に基づいて前記４つまでのパラメータセットから特定される前記１つのパラメータセットから決定される前記上位層のパラメータの値が｛１、２、３、４｝以外に属し、且つ、前記ＰＤＳＣＨおよび前記ＰＤＳＣＨに対応する前記ＰＤＣＣＨが同じ前記サービングセルにおいて受信される場合、前記サービングセルの前記あるサブフレームにおける前記コントロールフォーマットインディケータの値に基づいて前記第２のインデックスl'DataStartが与えられ、
前記サービングセルに対して前記送信モード１０が設定されており、前記ＰＤＳＣＨが前記ＤＣＩフォーマット２Ｄをともなう前記ＰＤＣＣＨによって割り当てられる場合、前記ＰＤＳＣＨが受信される前記サービングセルに対する前記下りリンク制御情報に基づいて前記４つまでのパラメータセットから特定される前記１つのパラメータセットから決定される前記上位層の第２のパラメータおよび前記第２のインデックスl'DataStartに少なくとも基づいて前記インデックスlDataStartが与えられることを特徴とする請求項１１に記載の集積回路。
【請求項１３】
ある１つのサービングセルにおいてＰＤＳＣＨでの送信を基地局装置から受信する端末装置に用いられる無線通信方法において、
前記サービングセルに対して、前記ＰＤＳＣＨでの送信に関連する送信モード１から１０の何れかを設定し、
前記サービングセルに対して前記送信モード１０が設定される場合、前記ＰＤＳＣＨを復号するために、パラメータセット１を少なくとも含む４つまでのパラメータセットを設定し、
前記サービングセルの前記ＰＤＳＣＨに対するＯＦＤＭシンボルの開始位置を、あるサブフレームの第１のスロットにおけるインデックスlDataStartに基づいて決定し、
前記サービングセルに対して前記送信モード１から９の何れかが設定されており、且つ、前記ＰＤＳＣＨおよび前記ＰＤＳＣＨに対応するＰＤＣＣＨが同じ前記サービングセルにおいて受信される場合、前記サービングセルの前記あるサブフレームにおける前記コントロールフォーマットインディケータの値に基づいて前記インデックスlDataStartが与えられ、
前記サービングセルに対して前記送信モード１０が設定されており、且つ、前記ＰＤＳＣＨがＤＣＩフォーマット１Ｃをともなう前記ＰＤＣＣＨによって割り当てられる場合、前記サービングセルの前記あるサブフレームにおける前記コントロールフォーマットインディケータの値に基づいて前記インデックスlDataStartが与えられ、
前記サービングセルに対して前記送信モード１０が設定されており、前記ＰＤＳＣＨがＣ−ＲＮＴＩによってスクランブルされたＣＲＣパリティビットが付加されたＤＣＩフォーマット１Ａをともなう前記ＰＤＣＣＨによって割り当てられ、前記ＰＤＳＣＨが少なくともアンテナポート０を用いて送信され、且つ、前記ＰＤＳＣＨおよび前記ＰＤＳＣＨに対応する前記ＰＤＣＣＨが同じ前記サービングセルにおいて受信される場合、前記サービングセルの前記あるサブフレームにおける前記コントロールフォーマットインディケータの値に基づいて第２のインデックスl'DataStartが与えられ、
前記サービングセルに対して前記送信モード１０が設定されており、前記ＰＤＳＣＨが前記ＤＣＩフォーマット１Ａをともなう前記ＰＤＣＣＨによって割り当てられ、前記ＰＤＳＣＨがアンテナポート７を用いて送信され、且つ、前記ＰＤＳＣＨが受信される前記サービングセルに対する前記パラメータセット１から決定される上位層のパラメータの値が｛１、２、３、４｝に属する場合、前記ＰＤＳＣＨが受信される前記サービングセルに対する前記パラメータセット１から決定される前記上位層のパラメータの値に基づいて前記第２のインデックスl'DataStartが与えられ、
前記サービングセルに対して前記送信モード１０が設定されており、前記ＰＤＳＣＨが前記ＤＣＩフォーマット１Ａをともなう前記ＰＤＣＣＨによって割り当てられ、前記ＰＤＳＣＨが前記アンテナポート７を用いて送信され、且つ、前記ＰＤＳＣＨが受信される前記サービングセルに対する前記パラメータセット１から決定される前記上位層のパラメータの値が｛１、２、３、４｝以外に属し、且つ、前記ＰＤＳＣＨおよび前記ＰＤＳＣＨに対応する前記ＰＤＣＣＨが同じ前記サービングセルにおいて受信される場合、前記サービングセルの前記あるサブフレームにおける前記コントロールフォーマットインディケータの値に基づいて前記第２のインデックスl'DataStartが与えられ、
前記サービングセルに対して前記送信モード１０が設定されており、前記ＰＤＳＣＨが前記ＤＣＩフォーマット１Ａをともなう前記ＰＤＣＣＨによって割り当てられ、且つ、前記ＰＤＳＣＨが前記アンテナポート７を用いて送信される場合、前記ＰＤＳＣＨが受信される前記サービングセルに対する前記パラメータセット１から決定される上位層の第２のパラメータおよび前記第２のインデックスl'DataStartに少なくとも基づいて前記インデックスlDataStartが与えられ、
前記サービングセルに対して前記送信モード１０が設定されており、前記ＰＤＳＣＨがＤＣＩフォーマット２Ｄをともなう前記ＰＤＣＣＨによって割り当てられ、且つ、前記ＰＤＳＣＨが受信される前記サービングセルに対する下りリンク制御情報に基づいて前記４つまでのパラメータセットから特定される１つのパラメータセットから決定される前記上位層のパラメータの値が｛１、２、３、４｝に属する場合、前記ＰＤＳＣＨが受信される前記サービングセルに対する前記下りリンク制御情報に基づいて前記４つまでのパラメータセットから特定される前記１つのパラメータセットから決定される前記上位層のパラメータの値に基づいて前記第２のインデックスl'DataStartが与えられ、
前記サービングセルに対して前記送信モード１０が設定されており、前記ＰＤＳＣＨが前記ＤＣＩフォーマット２Ｄをともなう前記ＰＤＣＣＨによって割り当てられ、且つ、前記ＰＤＳＣＨが受信される前記サービングセルに対する前記下りリンク制御情報に基づいて前記４つまでのパラメータセットから特定される前記１つのパラメータセットから決定される前記上位層のパラメータの値が｛１、２、３、４｝以外に属し、且つ、前記ＰＤＳＣＨおよび前記ＰＤＳＣＨに対応する前記ＰＤＣＣＨが同じ前記サービングセルにおいて受信される場合、前記サービングセルの前記あるサブフレームにおける前記コントロールフォーマットインディケータの値に基づいて前記第２のインデックスl'DataStartが与えられ、
前記サービングセルに対して前記送信モード１０が設定されており、前記ＰＤＳＣＨが前記ＤＣＩフォーマット２Ｄをともなう前記ＰＤＣＣＨによって割り当てられる場合、前記ＰＤＳＣＨが受信される前記サービングセルに対する前記下りリンク制御情報に基づいて前記４つまでのパラメータセットから特定される前記１つのパラメータセットから決定される前記上位層の第２のパラメータおよび前記第２のインデックスl'DataStartに少なくとも基づいて前記インデックスlDataStartが与えられることを特徴とする無線通信方法。
【請求項１４】
ある１つのサービングセルにおいてＰＤＳＣＨでの送信を端末装置に行なう基地局装置において、
前記ＰＤＳＣＨでの送信に関連する送信モード１から１０であり、前記サービングセルに対する送信モード１から１０の何れかを、前記端末装置に対して設定し、
前記端末装置および前記サービングセルに対して前記送信モード１０が設定される場合、前記ＰＤＳＣＨを復号するために、パラメータセット１を少なくとも含む４つまでのパラメータセットを、前記端末装置に対して設定する設定部と、
前記端末装置に対する、前記サービングセルの前記ＰＤＳＣＨに対するＯＦＤＭシンボルの開始位置を、あるサブフレームの第１のスロットにおけるインデックスlDataStartに基づいて決定する送信部と、を備え、
前記端末装置および前記サービングセルに対して前記送信モード１０を設定しており、Ｃ−ＲＮＴＩによってスクランブルされたＣＲＣパリティビットが付加されたＤＣＩフォーマット１ＡをともなうＰＤＣＣＨによって前記ＰＤＳＣＨを前記端末装置に割り当て、少なくともアンテナポート０を用いて前記端末装置に対する前記ＰＤＳＣＨを送信し、且つ、前記端末装置に対する前記ＰＤＳＣＨおよび前記端末装置に対する前記ＰＤＳＣＨに対応する前記ＰＤＣＣＨを同じ前記サービングセルにおいて送信する場合、前記サービングセルの前記あるサブフレームにおけるコントロールフォーマットインディケータの値に基づいて前記インデックスlDataStartが与えられ、
前記端末装置および前記サービングセルに対して前記送信モード１０を設定しており、前記ＤＣＩフォーマット１Ａをともなう前記ＰＤＣＣＨによって前記ＰＤＳＣＨを前記端末装置に割り当て、アンテナポート７を用いて前記端末装置に対する前記ＰＤＳＣＨを送信し、且つ、前記端末装置に対する前記ＰＤＳＣＨを送信する前記サービングセルに対する前記パラメータセット１から決定される上位層のパラメータの値が｛１、２、３、４｝に属する場合、前記端末装置に対する前記ＰＤＳＣＨを送信する前記サービングセルに対する前記パラメータセット１から決定される前記上位層のパラメータの値に基づいて前記インデックスlDataStartが与えられることを特徴とする基地局装置。
【請求項１５】
前記端末装置および前記サービングセルに対して前記送信モード１０を設定しており、前記ＤＣＩフォーマット１Ａをともなう前記ＰＤＣＣＨによって前記ＰＤＳＣＨを前記端末装置に割り当て、前記アンテナポート７を用いて前記端末装置に対する前記ＰＤＳＣＨを送信し、且つ、前記端末装置に対する前記ＰＤＳＣＨを送信する前記サービングセルに対する前記パラメータセット１から決定される前記上位層のパラメータの値が｛１、２、３、４｝以外に属し、且つ、前記端末装置に対する前記ＰＤＳＣＨおよび前記端末装置に対する前記ＰＤＳＣＨに対応する前記ＰＤＣＣＨを同じ前記サービングセルにおいて送信する場合、前記サービングセルの前記あるサブフレームにおける前記コントロールフォーマットインディケータの値に基づいて前記インデックスlDataStartが与えられることを特徴とする請求項１４に記載の基地局装置。
【請求項１６】
前記端末装置および前記サービングセルに対して前記送信モード１０を設定しており、且つ、ＤＣＩフォーマット１Ｃをともなう前記ＰＤＣＣＨによって前記ＰＤＳＣＨを割り当てる場合、前記サービングセルの前記あるサブフレームにおける前記コントロールフォーマットインディケータの値に基づいて前記インデックスlDataStartが与えられる
ことを特徴とする請求項１４または１５に記載の基地局装置。
【請求項１７】
前記端末装置および前記サービングセルに対して前記送信モード１から９の何れかを設定しており、且つ、前記ＰＤＳＣＨおよび前記ＰＤＳＣＨに対応する前記ＰＤＣＣＨを同じ前記サービングセルにおいて送信する場合、前記サービングセルの前記あるサブフレームにおける前記コントロールフォーマットインディケータの値に基づいて前記インデックスlDataStartが与えられることを特徴とする請求項１４から１６の何れかに記載の基地局装置。
【請求項１８】
前記端末装置および前記サービングセルに対して前記送信モード１０を設定しており、ＤＣＩフォーマット２Ｄをともなう前記ＰＤＣＣＨによって前記ＰＤＳＣＨを前記端末装置に割り当て、且つ、前記ＰＤＳＣＨを送信する前記サービングセルに対する下りリンク制御情報に基づいて前記４つまでのパラメータセットから特定される１つのパラメータセットから決定される前記上位層のパラメータの値が｛１、２、３、４｝に属する場合、前記ＰＤＳＣＨを送信する前記サービングセルに対する前記下りリンク制御情報に基づいて前記４つまでのパラメータセットから特定される前記１つのパラメータセットから決定される前記上位層のパラメータの値に基づいて前記インデックスlDataStartが与えられ、
前記端末装置および前記サービングセルに対して前記送信モード１０を設定しており、前記ＤＣＩフォーマット２Ｄをともなう前記ＰＤＣＣＨによって前記ＰＤＳＣＨを前記端末装置に割り当て、且つ、前記端末装置に対する前記ＰＤＳＣＨを送信する前記サービングセルに対する前記下りリンク制御情報に基づいて前記４つまでのパラメータセットから特定される前記１つのパラメータセットから決定される前記上位層のパラメータの値が｛１、２、３、４｝以外に属し、且つ、前記端末装置に対する前記ＰＤＳＣＨおよび前記端末装置に対する前記ＰＤＳＣＨに対応する前記ＰＤＣＣＨを同じ前記サービングセルにおいて送信する場合、前記サービングセルの前記あるサブフレームにおける前記コントロールフォーマットインディケータの値に基づいて前記インデックスlDataStartが与えられることを特徴とする請求項１４から１７の何れかに記載の基地局装置。
【請求項１９】
前記端末装置および前記サービングセルに対して前記送信モード１０を設定しており、前記ＤＣＩフォーマット１Ａをともなう前記ＰＤＣＣＨによって前記ＰＤＳＣＨを前記端末装置に割り当て、アンテナポート７を用いて前記端末装置に対する前記ＰＤＳＣＨを送信し、且つ、前記端末装置に対する前記ＰＤＳＣＨを送信する前記サービングセルに対する前記パラメータセット１から決定される前記上位層のパラメータの値が｛１、２、３、４｝に属する場合、前記端末装置に対する前記ＰＤＳＣＨを送信する前記サービングセルに対する前記パラメータセット１から決定される前記上位層のパラメータの値に基づいて第２のインデックスl'DataStartが与えられ、
前記端末装置および前記サービングセルに対して前記送信モード１０を設定しており、前記ＤＣＩフォーマット１Ａをともなう前記ＰＤＣＣＨによって前記ＰＤＳＣＨを前記端末装置に割り当て、前記アンテナポート７を用いて前記端末装置に対する前記ＰＤＳＣＨを送信し、且つ、前記端末装置に対する前記ＰＤＳＣＨを送信する前記サービングセルに対する前記パラメータセット１から決定される前記上位層のパラメータの値が｛１、２、３、４｝以外に属し、且つ、前記端末装置に対する前記ＰＤＳＣＨおよび前記端末装置に対する前記ＰＤＳＣＨに対応する前記ＰＤＣＣＨを同じ前記サービングセルにおいて送信する場合、前記サービングセルの前記あるサブフレームにおける前記コントロールフォーマットインディケータの値に基づいて前記第２のインデックスl'DataStartが与えられ、
前記端末装置および前記サービングセルに対して前記送信モード１０が設定されており、前記ＤＣＩフォーマット１Ａをともなう前記ＰＤＣＣＨによって前記ＰＤＳＣＨを前記端末装置に割り当て、且つ、前記アンテナポート７を用いて前記端末装置に対する前記ＰＤＳＣＨを送信する場合、前記端末装置に対する前記ＰＤＳＣＨを送信する前記サービングセルに対する前記パラメータセット１から決定される上位層の第２のパラメータおよび前記第２のインデックスl'DataStartに少なくとも基づいて前記インデックスlDataStartが与えられることを特徴とする請求項１８に記載の基地局装置。
【請求項２０】
前記端末装置および前記サービングセルに対して前記送信モード１０を設定しており、前記ＤＣＩフォーマット２Ｄをともなう前記ＰＤＣＣＨによって前記ＰＤＳＣＨを前記端末装置に割り当て、且つ、前記端末装置に対する前記ＰＤＳＣＨを送信する前記サービングセルに対する前記下りリンク制御情報に基づいて前記４つまでのパラメータセットから特定される前記１つのパラメータセットから決定される前記上位層のパラメータの値が｛１、２、３、４｝に属する場合、前記端末装置に対する前記ＰＤＳＣＨを送信する前記サービングセルに対する前記下りリンク制御情報に基づいて前記４つまでのパラメータセットから特定される前記１つのパラメータセットから決定される前記上位層のパラメータの値に基づいて前記第２のインデックスl'DataStartが与えられ、
前記端末装置に対する前記サービングセルに対して前記送信モード１０を設定しており、前記ＤＣＩフォーマット２Ｄをともなう前記ＰＤＣＣＨによって前記ＰＤＳＣＨを前記端末装置に割り当て、且つ、前記端末装置に対する前記ＰＤＳＣＨを送信する前記サービングセルに対する前記下りリンク制御情報に基づいて前記４つまでのパラメータセットから特定される前記１つのパラメータセットから決定される前記上位層のパラメータの値が｛１、２、３、４｝以外に属し、且つ、前記端末装置に対する前記ＰＤＳＣＨおよび前記端末装置に対する前記ＰＤＳＣＨに対応する前記ＰＤＣＣＨを同じ前記サービングセルにおいて送信する場合、前記サービングセルの前記あるサブフレームにおける前記コントロールフォーマットインディケータの値に基づいて前記第２のインデックスl'DataStartが与えられ、
前記端末装置および前記サービングセルに対して前記送信モード１０を設定しており、前記ＤＣＩフォーマット２Ｄをともなう前記ＰＤＣＣＨによって前記ＰＤＳＣＨを前記端末装置に割り当てる場合、前記端末装置に対する前記ＰＤＳＣＨを送信する前記サービングセルに対する前記下りリンク制御情報に基づいて前記４つまでのパラメータセットから特定される前記１つのパラメータセットから決定される前記上位層の第２のパラメータおよび前記第２のインデックスl'DataStartに少なくとも基づいて前記インデックスlDataStartが与えられることを特徴とする請求項１９に記載の基地局装置。
【発明の詳細な説明】
【技術分野】
【０００１】
本発明は、端末装置、集積回路、無線通信方法、および、基地局装置に関する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、下りリンクの通信方式として、直交周波数分割多重（Orthogonal Frequency Division Multiplexing: OFDM）方式が用いられる。ＬＴＥでは、上りリンクの通信方式として、ＳＣ−ＦＤＭＡ（Single-Carrier Frequency Division Multiple Access）方式が用いられる。ＬＴＥでは、基地局装置をｅＮｏｄｅＢ（evolved NodeB）、移動局装置（端末装置）をＵＥ（User Equipment）と称する。ＬＴＥは、基地局装置がカバーするエリアをセル状に複数配置するセルラー通信システムである。単一の基地局装置は複数のセルを管理してもよい。単一の移動局装置は、単一または複数のセルで通信をする。通信に用いられるセルをサービングセルとも称する。【０００３】
ＬＴＥでは、基地局装置から移動局装置へのデータの送信に物理下りリンク共用チャネル（Physical Downlink Shared Channel: PDSCH）が用いられる。また、３ＧＰＰでは、複数の基地局装置が互いに協調して干渉コーディネーションを行なうＣｏＭＰ（Coordinated Multi-Point transmission and reception）伝送方式をサポートすることが検討されている。【０００４】
このような無線通信システムにおいて、ＰＤＳＣＨがマップされるリソースエレメントの開始位置を、物理制御フォーマットインディケータチャネル（Physical Control Format Indicator Channel: PCFICH）で送信される情報(Control Format Indicator: CFI)に基づいて決定することに加えて、ＰＤＳＣＨリソースエレメントマッピングの設定の一部として含めることが提案されている（非特許文献１）。
【先行技術文献】
【非特許文献】
【０００５】
【非特許文献１】"Resource Element Mapping for support of CoMP Transmission ", R1-124535, 3GPP TSG-RAN WG1 Meeting #70bis, 8 - 12 October 2012.
【発明の概要】
【発明が解決しようとする課題】
【０００６】
しかしながら、上述のような無線通信システムにおいて、ＰＤＳＣＨがマップされるリソースエレメントの開始位置を決定するための具体的な手順に関する記載はなかった。【０００７】
本発明は、上記問題を鑑みてなされたものであり、その目的は、基地局装置と端末装置が、ＰＤＳＣＨを用いて効率的に通信することができる端末装置、集積回路、無線通信方法、および、基地局装置を提供することである。
【課題を解決するための手段】
【０００８】
（１）上記の目的を達成するために、本発明は、以下のような手段を講じた。すなわち、本発明の端末装置は、ある１つのサービングセルにおいてＰＤＳＣＨでの送信を基地局装置から受信する端末装置であって、前記サービングセルに対して、前記ＰＤＳＣＨでの送信に関連する送信モード１から１０の何れかを設定し、前記サービングセルに対して前記送信モード１０が設定される場合、前記ＰＤＳＣＨを復号するために、パラメータセット１を少なくとも含む４つまでのパラメータセットを設定する設定部と、前記サービングセルの前記ＰＤＳＣＨに対するＯＦＤＭシンボルの開始位置を、あるサブフレームの第１のスロットにおけるインデックスlDataStartに基づいて決定する受信部と、を備え、前記サービングセルに対して前記送信モード１０が設定されており、前記ＰＤＳＣＨがＣ−ＲＮＴＩによってスクランブルされたＣＲＣパリティビットが付加されたＤＣＩフォーマット１ＡをともなうＰＤＣＣＨによって割り当てられ、前記ＰＤＳＣＨが少なくともアンテナポート０を用いて送信され、且つ、前記ＰＤＳＣＨおよび前記ＰＤＳＣＨに対応する前記ＰＤＣＣＨが同じ前記サービングセルにおいて受信される場合、前記サービングセルの前記あるサブフレームにおけるコントロールフォーマットインディケータの値に基づいて前記インデックスlDataStartが与えられ、前記サービングセルに対して前記送信モード１０が設定されており、前記ＰＤＳＣＨが前記ＤＣＩフォーマット１Ａをともなう前記ＰＤＣＣＨによって割り当てられ、前記ＰＤＳＣＨがアンテナポート７を用いて送信され、且つ、前記ＰＤＳＣＨが受信される前記サービングセルに対する前記パラメータセット１から決定される上位層のパラメータの値が｛１、２、３、４｝に属する場合、前記ＰＤＳＣＨが受信される前記サービングセルに対する前記パラメータセット１から決定される前記上位層のパラメータの値に基づいて前記インデックスlDataStartが与えられ、前記サービングセルに対して前記送信モード１０が設定されており、前記ＰＤＳＣＨが前記ＤＣＩフォーマット１Ａをともなう前記ＰＤＣＣＨによって割り当てられ、前記ＰＤＳＣＨが前記アンテナポート７を用いて送信され、且つ、前記ＰＤＳＣＨが受信される前記サービングセルに対する前記パラメータセット１から決定される前記上位層のパラメータの値が｛１、２、３、４｝以外に属し、且つ、前記ＰＤＳＣＨおよび前記ＰＤＳＣＨに対応する前記ＰＤＣＣＨが同じ前記サービングセルにおいて受信される場合、前記サービングセルの前記あるサブフレームにおける前記コントロールフォーマットインディケータの値に基づいて前記インデックスlDataStartが与えられる。【０００９】
（２）また、上述の端末装置において、前記サービングセルに対して前記送信モード１０が設定されており、且つ、前記ＰＤＳＣＨがＤＣＩフォーマット１Ｃをともなう前記ＰＤＣＣＨによって割り当てられる場合、前記サービングセルの前記あるサブフレームにおける前記コントロールフォーマットインディケータの値に基づいて前記インデックスlDataStartが与えられる。【００１０】
（３）また、上述の端末装置において、前記サービングセルに対して前記送信モード１から９の何れかが設定されており、且つ、前記ＰＤＳＣＨおよび前記ＰＤＳＣＨに対応する前記ＰＤＣＣＨが同じ前記サービングセルにおいて受信される場合、前記サービングセルの前記あるサブフレームにおける前記コントロールフォーマットインディケータの値に基づいて前記インデックスlDataStartが与えられる。【００１１】
（４）また、上述の端末装置において、前記サービングセルに対して前記送信モード１０が設定されており、前記ＰＤＳＣＨがＤＣＩフォーマット２Ｄをともなう前記ＰＤＣＣＨによって割り当てられ、且つ、前記ＰＤＳＣＨが受信される前記サービングセルに対する下りリンク制御情報に基づいて前記４つまでのパラメータセットから特定される１つのパラメータセットから決定される前記上位層のパラメータの値が｛１、２、３、４｝に属する場合、前記ＰＤＳＣＨが受信される前記サービングセルに対する前記下りリンク制御情報に基づいて前記４つまでのパラメータセットから特定される前記１つのパラメータセットから決定される前記上位層のパラメータの値に基づいて前記インデックスlDataStartが与えられ、前記サービングセルに対して前記送信モード１０が設定されており、前記ＰＤＳＣＨが前記ＤＣＩフォーマット２Ｄをともなう前記ＰＤＣＣＨによって割り当てられ、且つ、前記ＰＤＳＣＨが受信される前記サービングセルに対する前記下りリンク制御情報に基づいて前記４つまでのパラメータセットから特定される前記１つのパラメータセットから決定される前記上位層のパラメータの値が｛１、２、３、４｝以外に属し、且つ、前記ＰＤＳＣＨおよび前記ＰＤＳＣＨに対応する前記ＰＤＣＣＨが同じ前記サービングセルにおいて受信される場合、前記サービングセルの前記あるサブフレームにおける前記コントロールフォーマットインディケータの値に基づいて前記インデックスlDataStartが与えられる。【００１２】
（５）また、上述の端末装置において、前記サービングセルに対して前記送信モード１０が設定されており、前記ＰＤＳＣＨが前記ＤＣＩフォーマット１Ａをともなう前記ＰＤＣＣＨによって割り当てられ、前記ＰＤＳＣＨが前記アンテナポート７を用いて送信され、且つ、前記ＰＤＳＣＨが受信される前記サービングセルに対する前記パラメータセット１から決定される前記上位層のパラメータの値が｛１、２、３、４｝に属する場合、前記ＰＤＳＣＨが受信される前記サービングセルに対する前記パラメータセット１から決定される前記上位層のパラメータの値に基づいて第２のインデックスl'DataStartが与えられ、前記サービングセルに対して前記送信モード１０が設定されており、前記ＰＤＳＣＨが前記ＤＣＩフォーマット１Ａをともなう前記ＰＤＣＣＨによって割り当てられ、前記ＰＤＳＣＨが前記アンテナポート７を用いて送信され、且つ、前記ＰＤＳＣＨが受信される前記サービングセルに対する前記パラメータセット１から決定される前記上位層のパラメータの値が｛１、２、３、４｝以外に属し、且つ、前記ＰＤＳＣＨおよび前記ＰＤＳＣＨに対応する前記ＰＤＣＣＨが同じ前記サービングセルにおいて受信される場合、前記サービングセルの前記あるサブフレームにおける前記コントロールフォーマットインディケータの値に基づいて前記第２のインデックスl'DataStartが与えられ、前記サービングセルに対して前記送信モード１０が設定されており、前記ＰＤＳＣＨが前記ＤＣＩフォーマット１Ａをともなう前記ＰＤＣＣＨによって割り当てられ、且つ、前記ＰＤＳＣＨが前記アンテナポート７を用いて送信される場合、前記ＰＤＳＣＨが受信される前記サービングセルに対する前記パラメータセット１から決定される上位層の第２のパラメータおよび前記第２のインデックスl'DataStartに少なくとも基づいて前記インデックスlDataStartが与えられる。【００１３】
（６）また、上述の端末装置において、前記サービングセルに対して前記送信モード１０が設定されており、前記ＰＤＳＣＨが前記ＤＣＩフォーマット２Ｄをともなう前記ＰＤＣＣＨによって割り当てられ、且つ、前記ＰＤＳＣＨが受信される前記サービングセルに対する前記下りリンク制御情報に基づいて前記４つまでのパラメータセットから特定される前記１つのパラメータセットから決定される前記上位層のパラメータの値が｛１、２、３、４｝に属する場合、前記ＰＤＳＣＨが受信される前記サービングセルに対する前記下りリンク制御情報に基づいて前記４つまでのパラメータセットから特定される前記１つのパラメータセットから決定される前記上位層のパラメータの値に基づいて前記第２のインデックスl'DataStartが与えられ、前記サービングセルに対して前記送信モード１０が設定されており、前記ＰＤＳＣＨが前記ＤＣＩフォーマット２Ｄをともなう前記ＰＤＣＣＨによって割り当てられ、且つ、前記ＰＤＳＣＨが受信される前記サービングセルに対する前記下りリンク制御情報に基づいて前記４つまでのパラメータセットから特定される前記１つのパラメータセットから決定される前記上位層のパラメータの値が｛１、２、３、４｝以外に属し、且つ、前記ＰＤＳＣＨおよび前記ＰＤＳＣＨに対応する前記ＰＤＣＣＨが同じ前記サービングセルにおいて受信される場合、前記サービングセルの前記あるサブフレームにおける前記コントロールフォーマットインディケータの値に基づいて前記第２のインデックスl'DataStartが与えられ、前記サービングセルに対して前記送信モード１０が設定されており、前記ＰＤＳＣＨが前記ＤＣＩフォーマット２Ｄをともなう前記ＰＤＣＣＨによって割り当てられる場合、前記ＰＤＳＣＨが受信される前記サービングセルに対する前記下りリンク制御情報に基づいて前記４つまでのパラメータセットから特定される前記１つのパラメータセットから決定される前記上位層の第２のパラメータおよび前記第２のインデックスl'DataStartに少なくとも基づいて前記インデックスlDataStartが与えられる。【００１４】
（７）また、本発明の集積回路は、ある１つのサービングセルにおいてＰＤＳＣＨでの送信を基地局装置から受信する端末装置に実装される集積回路であって、前記サービングセルに対して、前記ＰＤＳＣＨでの送信に関連する送信モード１から１０の何れかを設定する機能と、前記サービングセルに対して前記送信モード１０が設定される場合、前記ＰＤＳＣＨを復号するために、パラメータセット１を少なくとも含む４つまでのパラメータセットを設定する機能と、前記サービングセルの前記ＰＤＳＣＨに対するＯＦＤＭシンボルの開始位置を、あるサブフレームの第１のスロットにおけるインデックスlDataStartに基づいて決定する機能と、を含む一連の機能を前記端末装置に発揮させ、前記サービングセルに対して前記送信モード１０が設定されており、前記ＰＤＳＣＨがＣ−ＲＮＴＩによってスクランブルされたＣＲＣパリティビットが付加されたＤＣＩフォーマット１ＡをともなうＰＤＣＣＨによって割り当てられ、前記ＰＤＳＣＨが少なくともアンテナポート０を用いて送信され、且つ、前記ＰＤＳＣＨおよび前記ＰＤＳＣＨに対応する前記ＰＤＣＣＨが同じ前記サービングセルにおいて受信される場合、前記サービングセルの前記あるサブフレームにおけるコントロールフォーマットインディケータの値に基づいて前記インデックスlDataStartが与えられ、前記サービングセルに対して前記送信モード１０が設定されており、前記ＰＤＳＣＨが前記ＤＣＩフォーマット１Ａをともなう前記ＰＤＣＣＨによって割り当てられ、前記ＰＤＳＣＨがアンテナポート７を用いて送信され、且つ、前記ＰＤＳＣＨが受信される前記サービングセルに対する前記パラメータセット１から決定される上位層のパラメータの値が｛１、２、３、４｝に属する場合、前記ＰＤＳＣＨが受信される前記サービングセルに対する前記パラメータセット１から決定される前記上位層のパラメータの値に基づいて前記インデックスlDataStartが与えられ、前記サービングセルに対して前記送信モード１０が設定されており、前記ＰＤＳＣＨが前記ＤＣＩフォーマット１Ａをともなう前記ＰＤＣＣＨによって割り当てられ、前記ＰＤＳＣＨが前記アンテナポート７を用いて送信され、且つ、前記ＰＤＳＣＨが受信される前記サービングセルに対する前記パラメータセット１から決定される前記上位層のパラメータの値が｛１、２、３、４｝以外に属し、且つ、前記ＰＤＳＣＨおよび前記ＰＤＳＣＨに対応する前記ＰＤＣＣＨが同じ前記サービングセルにおいて受信される場合、前記サービングセルの前記あるサブフレームにおける前記コントロールフォーマットインディケータの値に基づいて前記インデックスlDataStartが与えられる。【００１５】
（８）また、本発明の無線通信方法は、ある１つのサービングセルにおいてＰＤＳＣＨでの送信を基地局装置から受信する端末装置に用いられる無線通信方法であって、前記サービングセルに対して、前記ＰＤＳＣＨでの送信に関連する送信モード１から１０の何れかを設定し、前記サービングセルに対して前記送信モード１０が設定される場合、前記ＰＤＳＣＨを復号するために、パラメータセット１を少なくとも含む４つまでのパラメータセットを設定し、前記サービングセルの前記ＰＤＳＣＨに対するＯＦＤＭシンボルの開始位置を、あるサブフレームの第１のスロットにおけるインデックスlDataStartに基づいて決定し、前記サービングセルに対して前記送信モード１から９の何れかが設定されており、且つ、前記ＰＤＳＣＨおよび前記ＰＤＳＣＨに対応するＰＤＣＣＨが同じ前記サービングセルにおいて受信される場合、前記サービングセルの前記あるサブフレームにおける前記コントロールフォーマットインディケータの値に基づいて前記インデックスlDataStartが与えられ、前記サービングセルに対して前記送信モード１０が設定されており、且つ、前記ＰＤＳＣＨがＤＣＩフォーマット１Ｃをともなう前記ＰＤＣＣＨによって割り当てられる場合、前記サービングセルの前記あるサブフレームにおける前記コントロールフォーマットインディケータの値に基づいて前記インデックスlDataStartが与えられ、前記サービングセルに対して前記送信モード１０が設定されており、前記ＰＤＳＣＨがＣ−ＲＮＴＩによってスクランブルされたＣＲＣパリティビットが付加されたＤＣＩフォーマット１Ａをともなう前記ＰＤＣＣＨによって割り当てられ、前記ＰＤＳＣＨが少なくともアンテナポート０を用いて送信され、且つ、前記ＰＤＳＣＨおよび前記ＰＤＳＣＨに対応する前記ＰＤＣＣＨが同じ前記サービングセルにおいて受信される場合、前記サービングセルの前記あるサブフレームにおける前記コントロールフォーマットインディケータの値に基づいて第２のインデックスl'DataStartが与えられ、前記サービングセルに対して前記送信モード１０が設定されており、前記ＰＤＳＣＨが前記ＤＣＩフォーマット１Ａをともなう前記ＰＤＣＣＨによって割り当てられ、前記ＰＤＳＣＨがアンテナポート７を用いて送信され、且つ、前記ＰＤＳＣＨが受信される前記サービングセルに対する前記パラメータセット１から決定される上位層のパラメータの値が｛１、２、３、４｝に属する場合、前記ＰＤＳＣＨが受信される前記サービングセルに対する前記パラメータセット１から決定される前記上位層のパラメータの値に基づいて前記第２のインデックスl'DataStartが与えられ、前記サービングセルに対して前記送信モード１０が設定されており、前記ＰＤＳＣＨが前記ＤＣＩフォーマット１Ａをともなう前記ＰＤＣＣＨによって割り当てられ、前記ＰＤＳＣＨが前記アンテナポート７を用いて送信され、且つ、前記ＰＤＳＣＨが受信される前記サービングセルに対する前記パラメータセット１から決定される前記上位層のパラメータの値が｛１、２、３、４｝以外に属し、且つ、前記ＰＤＳＣＨおよび前記ＰＤＳＣＨに対応する前記ＰＤＣＣＨが同じ前記サービングセルにおいて受信される場合、前記サービングセルの前記あるサブフレ��ムにおける前記コントロールフォーマットインディケータの値に基づいて前記第２のインデックスl'DataStartが与えられ、前記サービングセルに対して前記送信モード１０が設定されており、前記ＰＤＳＣＨが前記ＤＣＩフォーマット１Ａをともなう前記ＰＤＣＣＨによって割り当てられ、且つ、前記ＰＤＳＣＨが前記アンテナポート７を用いて送信される場合、前記ＰＤＳＣＨが受信される前記サービングセルに対する前記パラメータセット１から決定される上位層の第２のパラメータおよび前記第２のインデックスl'DataStartに少なくとも基づいて前記インデックスlDataStartが与えられ、前記サービングセルに対して前記送信モード１０が設定されており、前記ＰＤＳＣＨがＤＣＩフォーマット２Ｄをともなう前記ＰＤＣＣＨによって割り当てられ、且つ、前記ＰＤＳＣＨが受信される前記サービングセルに対する下りリンク制御情報に基づいて前記４つまでのパラメータセットから特定される１つのパラメータセットから決定される前記上位層のパラメータの値が｛１、２、３、４｝に属する場合、前記ＰＤＳＣＨが受信される前記サービングセルに対する前記下りリンク制御情報に基づいて前記４つまでのパラメータセットから特定される前記１つのパラメータセットから決定される前記上位層のパラメータの値に基づいて前記第２のインデックスl'DataStartが与えられ、前記サービングセルに対して前記送信モード１０が設定されており、前記ＰＤＳＣＨが前記ＤＣＩフォーマット２Ｄをともなう前記ＰＤＣＣＨによって割り当てられ、且つ、前記ＰＤＳＣＨが受信される前記サービングセルに対する前記下りリンク制御情報に基づいて前記４つまでのパラメータセットから特定される前記１つのパラメータセットから決定される前記上位層のパラメータの値が｛１、２、３、４｝以外に属し、且つ、前記ＰＤＳＣＨおよび前記ＰＤＳＣＨに対応する前記ＰＤＣＣＨが同じ前記サービングセルにおいて受信される場合、前記サービングセルの前記あるサブフレームにおける前記コントロールフォーマットインディケータの値に基づいて前記第２のインデックスl'DataStartが与えられ、前記サービングセルに対して前記送信モード１０が設定されており、前記ＰＤＳＣＨが前記ＤＣＩフォーマット２Ｄをともなう前記ＰＤＣＣＨによって割り当てられる場合、前記ＰＤＳＣＨが受信される前記サービングセルに対する前記下りリンク制御情報に基づいて前記４つまでのパラメータセットから特定される前記１つのパラメータセットから決定される前記上位層の第２のパラメータおよび前記第２のインデックスl'DataStartに少なくとも基づいて前記インデックスlDataStartが与えられる。【００１６】
（９）また、本発明の基地局装置は、ある１つのサービングセルにおいてＰＤＳＣＨでの送信を端末装置に行なう基地局装置であって、前記ＰＤＳＣＨでの送信に関連する送信モード１から１０であり、前記サービングセルに対する送信モード１から１０の何れかを、前記端末装置に対して設定し、前記端末装置および前記サービングセルに対して前記送信モード１０が設定される場合、前記ＰＤＳＣＨを復号するために、パラメータセット１を少なくとも含む４つまでのパラメータセットを、前記端末装置に対して設定する設定部と、前記端末装置に対する、前記サービングセルの前記ＰＤＳＣＨに対するＯＦＤＭシンボルの開始位置を、あるサブフレームの第１のスロットにおけるインデックスlDataStartに基づいて決定する送信部と、を備え、前記端末装置および前記サービングセルに対して前記送信モード１０を設定しており、Ｃ−ＲＮＴＩによってスクランブルされたＣＲＣパリティビットが付加されたＤＣＩフォーマット１ＡをともなうＰＤＣＣＨによって前記ＰＤＳＣＨを前記端末装置に割り当て、少なくともアンテナポート０を用いて前記端末装置に対する前記ＰＤＳＣＨを送信し、且つ、前記端末装置に対する前記ＰＤＳＣＨおよび前記端末装置に対する前記ＰＤＳＣＨに対応する前記ＰＤＣＣＨを同じ前記サービングセルにおいて送信する場合、前記サービングセルの前記あるサブフレームにおけるコントロールフォーマットインディケータの値に基づいて前記インデックスlDataStartが与えられ、前記端末装置および前記サービングセルに対して前記送信モード１０を設定しており、前記ＤＣＩフォーマット１Ａをともなう前記ＰＤＣＣＨによって前記ＰＤＳＣＨを前記端末装置に割り当て、アンテナポート７を用いて前記端末装置に対する前記ＰＤＳＣＨを送信し、且つ、前記端末装置に対する前記ＰＤＳＣＨを送信する前記サービングセルに対する前記パラメータセット１から決定される上位層のパラメータの値が｛１、２、３、４｝に属する場合、前記端末装置に対する前記ＰＤＳＣＨを送信する前記サービングセルに対する前記パラメータセット１から決定される前記上位層のパラメータの値に基づいて前記インデックスlDataStartが与えられる。【００１７】
（１０）また、上述の基地局装置において、前記端末装置および前記サービングセルに対して前記送信モード１０を設定しており、前記ＤＣＩフォーマット１Ａをともなう前記ＰＤＣＣＨによって前記ＰＤＳＣＨを前記端末装置に割り当て、前記アンテナポート７を用いて前記端末装置に対する前記ＰＤＳＣＨを送信し、且つ、前記端末装置に対する前記ＰＤＳＣＨを送信する前記サービングセルに対する前記パラメータセット１から決定される前記上位層のパラメータの値が｛１、２、３、４｝以外に属し、且つ、前記端末装置に対する前記ＰＤＳＣＨおよび前記端末装置に対する前記ＰＤＳＣＨに対応する前記ＰＤＣＣＨを同じ前記サービングセルにおいて送信する場合、前記サービングセルの前記あるサブフレームにおける前記コントロールフォーマットインディケータの値に基づいて前記インデックスlDataStartが与えられる。【００１８】
（１１）また、上述の基地局装置において、前記端末装置および前記サービングセルに対して前記送信モード１０を設定しており、且つ、ＤＣＩフォーマット１Ｃをともなう前記ＰＤＣＣＨによって前記ＰＤＳＣＨを割り当てる場合、前記サービングセルの前記あるサブフレームにおける前記コントロールフォーマットインディケータの値に基づいて前記インデックスlDataStartが与えられる。【００１９】
（１２）また、上述の基地局装置において、前記端末装置および前記サービングセルに対して前記送信モード１から９の何れかを設定しており、且つ、前記ＰＤＳＣＨおよび前記ＰＤＳＣＨに対応する前記ＰＤＣＣＨを同じ前記サービングセルにおいて送信する場合、前記サービングセルの前記あるサブフレームにおける前記コントロールフォーマットインディケータの値に基づいて前記インデックスlDataStartが与えられる。【００２０】
（１３）また、上述の基地局装置において、前記端末装置および前記サービングセルに対して前記送信モード１０を設定しており、ＤＣＩフォーマット２Ｄをともなう前記ＰＤＣＣＨによって前記ＰＤＳＣＨを前記端末装置に割り当て、且つ、前記ＰＤＳＣＨを送信する前記サービングセルに対する下りリンク制御情報に基づいて前記４つまでのパラメータセットから特定される１つのパラメータセットから決定される前記上位層のパラメータの値が｛１、２、３、４｝に属する場合、前記ＰＤＳＣＨを送信する前記サービングセルに対する前記下りリンク制御情報に基づいて前記４つまでのパラメータセットから特定される前記１つのパラメータセットから決定される前記上位層のパラメータの値に基づいて前記インデックスlDataStartが与えられ、前記端末装置および前記サービングセルに対して前記送信モード１０を設定しており、前記ＤＣＩフォーマット２Ｄをともなう前記ＰＤＣＣＨによって前記ＰＤＳＣＨを前記端末装置に割り当て、且つ、前記端末装置に対する前記ＰＤＳＣＨを送信する前記サービングセルに対する前記下りリンク制御情報に基づいて前記４つまでのパラメータセットから特定される前記１つのパラメータセットから決定される前記上位層のパラメータの値が｛１、２、３、４｝以外に属し、且つ、前記端末装置に対する前記ＰＤＳＣＨおよび前記端末装置に対する前記ＰＤＳＣＨに対応する前記ＰＤＣＣＨを同じ前記サービングセルにおいて送信する場合、前記サービングセルの前記あるサブフレームにおける前記コントロールフォーマットインディケータの値に基づいて前記インデックスlDataStartが与えられる。【００２１】
（１４）また、上述の基地局装置において、前記端末装置および前記サービングセルに対して前記送信モード１０を設定しており、前記ＤＣＩフォーマット１Ａをともなう前記ＰＤＣＣＨによって前記ＰＤＳＣＨを前記端末装置に割り当て、アンテナポート７を用いて前記端末装置に対する前記ＰＤＳＣＨを送信し、且つ、前記端末装置に対する前記ＰＤＳＣＨを送信する前記サービングセルに対する前記パラメータセット１から決定される前記上位層のパラメータの値が｛１、２、３、４｝に属する場合、前記端末装置に対する前記ＰＤＳＣＨを送信する前記サービングセルに対する前記パラメータセット１から決定される前記上位層のパラメータの値に基づいて第２のインデックスl'DataStartが与えられ、前記端末装置および前記サービングセルに対して前記送信モード１０を設定しており、前記ＤＣＩフォーマット１Ａをともなう前記ＰＤＣＣＨによって前記ＰＤＳＣＨを前記端末装置に割り当て、前記アンテナポート７を用いて前記端末装置に対する前記ＰＤＳＣＨを送信し、且つ、前記端末装置に対する前記ＰＤＳＣＨを送信する前記サービングセルに対する前記パラメータセット１から決定される前記上位層のパラメータの値が｛１、２、３、４｝以外に属し、且つ、前記端末装置に対する前記ＰＤＳＣＨおよび前記端末装置に対する前記ＰＤＳＣＨに対応する前記ＰＤＣＣＨを同じ前記サービングセルにおいて送信する場合、前記サービングセルの前記あるサブフレームにおける前記コントロールフォーマットインディケータの値に基づいて前記第２のインデックスl'DataStartが与えられ、前記端末装置および前記サービングセルに対して前記送信モード１０が設定されており、前記ＤＣＩフォーマット１Ａをともなう前記ＰＤＣＣＨによって前記ＰＤＳＣＨを前記端末装置に割り当て、且つ、前記アンテナポート７を用いて前記端末装置に対する前記ＰＤＳＣＨを送信する場合、前記端末装置に対する前記ＰＤＳＣＨを送信する前記サービングセルに対する前記パラメータセット１から決定される上位層の第２のパラメータおよび前記第２のインデックスl'DataStartに少なくとも基づいて前記インデックスlDataStartが与えられる。【００２２】
（１５）また、上述の基地局装置において、前記端末装置および前記サービングセルに対して前記送信モード１０を設定しており、前記ＤＣＩフォーマット２Ｄをともなう前記ＰＤＣＣＨによって前記ＰＤＳＣＨを前記端末装置に割り当て、且つ、前記端末装置に対する前記ＰＤＳＣＨを送信する前記サービングセルに対する前記下りリンク制御情報に基づいて前記４つまでのパラメータセットから特定される前記１つのパラメータセットから決定される前記上位層のパラメータの値が｛１、２、３、４｝に属する場合、前記端末装置に対する前記ＰＤＳＣＨを送信する前記サービングセルに対する前記下りリンク制御情報に基づいて前記４つまでのパラメータセットから特定される前記１つのパラメータセットから決定される前記上位層のパラメータの値に基づいて前記第２のインデックスl'DataStartが与えられ、前記端末装置に対する前記サービングセルに対して前記送信モード１０を設定しており、前記ＤＣＩフォーマット２Ｄをともなう前記ＰＤＣＣＨによって前記ＰＤＳＣＨを前記端末装置に割り当て、且つ、前記端末装置に対する前記ＰＤＳＣＨを送信する前記サービングセルに対する前記下りリンク制御情報に基づいて前記４つまでのパラメータセットから特定される前記１つのパラメータセットから決定される前記上位層のパラメータの値が｛１、２、３、４｝以外に属し、且つ、前記端末装置に対する前記ＰＤＳＣＨおよび前記端末装置に対する前記ＰＤＳＣＨに対応する前記ＰＤＣＣＨを同じ前記サービングセルにおいて送信する場合、前記サービングセルの前記あるサブフレームにおける前記コントロールフォーマットインディケータの値に基づいて前記第２のインデックスl'DataStartが与えられ、前記端末装置および前記サービングセルに対して前記送信モード１０を設定しており、前記ＤＣＩフォーマット２Ｄをともなう前記ＰＤＣＣＨによって前記ＰＤＳＣＨを前記端末装置に割り当てる場合、前記端末装置に対する前記ＰＤＳＣＨを送信する前記サービングセルに対する前記下りリンク制御情報に基づいて前記４つまでのパラメータセットから特定される前記１つのパラメータセットから決定される前記上位層の第２のパラメータおよび前記第２のインデックスl'DataStartに少なくとも基づいて前記インデックスlDataStartが与えられる。
【発明の効果】
【００２３】
この発明によれば、基地局装置と端末装置が、ＰＤＳＣＨを用いて効率的に通信することができる。
【図面の簡単な説明】
【００２４】
【図１】本実施形態の無線通信システムの概念図である。
【図２】本実施形態の無線フレームの概略構成を示す図である。
【図３】本実施形態のスロットの構成を示す図である。
【図４】本実施形態の下りリンクサブフレームにおける物理チャネルおよび物理信号の配置の一例を示す図である。
【図５】本実施形態のＰＤＣＣＨをリソースエレメントにマッピングする方法を示す図である。
【図６】本実施形態のＥＰＤＣＣＨをリソースエレメントにマッピングする方法を示す図である。
【図７】本実施形態のサーチスペースの構成の一例を示す図である。
【図８】本実施形態の送信モードを説明するための第１の表である。
【図９】本実施形態の送信モードを説明するための第２の表である。
【図１０】本実施形態における、あるセル対して送信モード１から９の何れかが設定された移動局装置１に対するＰＤＳＣＨがマップされるＯＦＤＭシンボルの開始位置を説明するための図である。
【図１１】本実施形態における、あるセル対して送信モード１０が設定された移動局装置１に対する、ＤＣＩフォーマット１ＣによってスケジュールされるＰＤＳＣＨがマップされるＯＦＤＭシンボルの開始位置を説明するための図である。
【図１２】本実施形態における、あるセル対して送信モード１０が設定された移動局装置１に対する、ＤＣＩフォーマット１ＡによってスケジュールされるＰＤＳＣＨがマップされるＯＦＤＭシンボルの開始位置の第１の例を説明するための図である。
【図１３】本実施形態における、あるセル対して送信モード１０が設定された移動局装置１に対する、ＤＣＩフォーマット１ＡによってスケジュールされるＰＤＳＣＨがマップされるＯＦＤＭシンボルの開始位置の第２の例を説明するための図である。
【図１４】本実施形態における、あるセル対して送信モード１０が設定された移動局装置１に対する、ＤＣＩフォーマット１ＡによってスケジュールされるＰＤＳＣＨがマップされるＯＦＤＭシンボルの開始位置の第３の例を説明するための図である。
【図１５】本実施形態における、あるセル対して送信モード１０が設定された移動局装置１に対する、ＤＣＩフォーマット１ＡによってスケジュールされるＰＤＳＣＨがマップされるＯＦＤＭシンボルの開始位置の第４の例を説明するための図である。
【図１６】本実施形態における、あるセル対して送信モード１０が設定された移動局装置１に対する、ＤＣＩフォーマット１ＡによってスケジュールされるＰＤＳＣＨがマップされるＯＦＤＭシンボルの開始位置の第５の例を説明するための図である。
【図１７】本実施形態における、あるセル対して送信モード１０が設定された移動局装置１に対する、ＤＣＩフォーマット２ＤによってスケジュールされるＰＤＳＣＨがマップされるＯＦＤＭシンボルの開始位置の第１の例を説明するための図である。
【図１８】本実施形態における、あるセル対して送信モード１０が設定された移動局装置１に対する、ＤＣＩフォーマット２ＤによってスケジュールされるＰＤＳＣＨがマップされるＯＦＤＭシンボルの開始位置の第２の例を説明するための図である。
【図１９】本実施形態における、あるセル対して送信モード１０が設定された移動局装置１に対する、ＤＣＩフォーマット２ＤによってスケジュールされるＰＤＳＣＨがマップされるＯＦＤＭシンボルの開始位置の第３の例を説明するための図である。
【図２０】本実施形態における、あるセル対して送信モード１０が設定された移動局装置１に対する、ＤＣＩフォーマット２ＤによってスケジュールされるＰＤＳＣＨがマップされるＯＦＤＭシンボルの開始位置の第４の例を説明するための図である。
【図２１】本実施形態における、あるセル対して送信モード１０が設定された移動局装置１に対する、ＤＣＩフォーマット１ＡによってスケジュールされるＰＤＳＣＨがマップされるＯＦＤＭシンボルの開始位置の第６の例を説明するための図である。
【図２２】本実施形態における、あるセル対して送信モード１０が設定された移動局装置１に対する、ＤＣＩフォーマット１ＡによってスケジュールされるＰＤＳＣＨがマップされるＯＦＤＭシンボルの開始位置の第７の例を説明するための図である。
【図２３】本実施形態の移動局装置１の構成を示す概略ブロック図である。
【図２４】本実施形態の基地局装置３の構成を示す概略ブロック図である。
【発明を実施するための形態】
【００２５】
以下、本発明の実施形態について説明する。
【００２６】
本実施形態では、移動局装置が複数のセルで同時に送信および受信する。移動局装置が複数のセルと通信する技術をセルアグリゲーション、またはキャリアアグリゲーションと称する。アグリゲートされる複数のセルのそれぞれにおいて、本実施形態が適用されてもよい。または、アグリゲートされる複数のセルの一部に本実施形態が適用されてもよい。
【００２７】
複数のサービングセルのうち１つのサービングセルはプライマリーセル（Primary Cell: PCell）である。プライマリーセルは、移動局装置１が初期コネクション確立（initial connection establishment）プロシージャを行なったセル、または移動局装置１がコネクション再確立（connection re-establishment）プロシージャを開始したセル、またはハンドオーバプロシージャ中にプライマリーセルとして指示されたセルである。
【００２８】
プライマリーセルを除いたサービングセルはセカンダリーセル（Secondary Cell: SCell）である。セカンダリーセルは追加の無線リソースを提供するために使われる。セカンダリーセルは、主にＰＤＳＣＨ、ＰＵＳＣＨ、ＰＲＡＣＨの送受信のために使用される。セカンダリーセルは、プライマリーセルとは異なる周波数上で動作し、移動局装置１と基地局装置３のコネクションが確立した後に、基地局装置３によって追加される。また、セカンダリーセルは、ハンドオーバプロシージャ中に基地局装置３から移動局装置１へ通知される。
【００２９】
移動局装置が単一のセルで送信および受信する場合にも、本実施形態が適用されてもよい。
【００３０】
以下、ＦＤＤ（Frequency Division Duplex）方式の無線通信システムを参照しながら本実施形態の説明をする。しかしながら、本実施形態は、ＴＤＤ（Time Division Duplex）方式の無線通信システムにも適用することができる。また、ＴＤＤ方式を用いるセルとＦＤＤ方式を用いるセルがアグリゲートされる無線通信システムにも適用することができる。
【００３１】
図１は、本実施形態の無線通信システムの概念図である。図１において、無線通信システムは、移動局装置１Ａ〜１Ｃ、および基地局装置３を具備する。以下、移動局装置１Ａ〜１Ｃを移動局装置１という。
【００３２】
以下、本実施形態の物理チャネルおよび物理信号について説明する。
【００３３】
図１において、移動局装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００３４】
ＰＵＣＣＨは、上りリンク制御情報（Uplink Control Information: UCI）を送信するために用いられる。上りリンク制御情報には、下りリンクデータ（Downlink-Shared Channel: DL-SCH）に対するＨＡＲＱ−ＡＣＫ（ＨＡＲＱフィードバック、応答情報）が含まれる。
【００３５】
ＰＵＳＣＨは、上りリンクデータ（Uplink-Shared Channel: UL-SCH）を送信するために用いられる。ＰＵＳＣＨは、上りリンクデータと共に上りリンク制御情報を送信するために用いられてもよい。ＰＵＳＣＨは上りリンク制御情報のみを送信するために用いられてもよい。
【００３６】
ＰＲＡＣＨは、ランダムアクセスプリアンブルを送信するために用いられる。ＰＲＡＣＨは、移動局装置１が基地局装置３と時間領域の同期をとることを主な目的とする。
【００３７】
図１において、上りリンクの無線通信では、以下の上りリンク物理信号が用いられる。上りリンク物理信号は、上位層から出力された情報を送信するために使用されないが、物理層によって使用される。
・上りリンク参照信号（Uplink Reference Signal: UL RS）
【００３８】
本実施形態において、以下の２つのタイプの上りリンク参照信号が用いられる。
・ＤＭＲＳ（Demodulation Reference Signal）
・ＳＲＳ（Sounding Reference Signal）
【００３９】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＤＭＲＳを用いてＰＵＳＣＨまたはＰＵＣＣＨの復調処理を行なう。以下、ＰＵＳＣＨとＤＭＲＳを共に送信することを、単にＰＵＳＣＨを送信するとも称する。以下、ＰＵＣＣＨとＤＭＲＳを共に送信することを、単にＰＵＣＣＨを送信するとも称する。
【００４０】
ＳＲＳは、ＰＵＳＣＨまたはＰＵＣＣＨの送信に関連しない。基地局装置３は、上りリンクのチャネル状態を測定するためにＳＲＳを使用する。ＳＲＳが送信されるシンボルを、サウンディング参照シンボルとも称する。ＳＲＳの詳細は後述する。
【００４１】
図１において、基地局装置３から移動局装置１への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（enhanced Physical Downlink Control Channel）
・ＰＤＳＣＨ（Physical Downlink Shared Channel）
・ＰＭＣＨ（Physical Multicast Channel）
【００４２】
ＰＢＣＨは、移動局装置１で共通に用いられるシステム情報（マスターインフォメーションブロック、Broadcast Channel: BCH）を報知するために用いられる。ＰＢＣＨは、４０ｍｓ間隔で送信される。４０ｍｓ間隔のタイミングは、移動局装置１においてブラインド検出（blind detection）される。また、ＰＢＣＨは、10ｍｓ間隔で再送信される。
【００４３】
ＰＣＦＩＣＨは、ＰＤＣＣＨの送信のために予約される領域（ＯＦＤＭシンボル）を指示する情報を送信するために用いられる。当該情報を、ＣＦＩ（Control Format Indicator）と称する。あるサブフレームでＰＤＣＣＨの送信に用いられるＯＦＤＭシンボルの数が０よりも多い場合に、当該あるサブフレームでＰＣＦＩＣＨが送信される。
【００４４】
セルの帯域幅が１１物理リソースブロックより多い場合には、あるサブフレームでＰＤＣＣＨ（ＤＣＩ）の送信に用いられるＯＦＤＭシンボルの数は、当該あるサブフレームのＰＣＦＩＣＨで送信されるＣＦＩの値と同じである。セルの帯域幅が１０物理リソースブロック、または、１０物理リソースブロックより少ない場合には、ＰＤＣＣＨ（ＤＣＩ）の送信に用いられるＯＦＤＭシンボルの数は、当該あるサブフレームのＰＣＦＩＣＨで送信されるＣＦＩの値よりも1つ多い。
【００４５】
尚、「ＰＤＣＣＨ（ＤＣＩ）の送信に用いられるＯＦＤＭシンボルの数」を、「ＤＣＩのスパン」とも称する。あるセルに対するＤＣＩのスパンは、当該あるサブフレームのＰＣＦＩＣＨで送信されるＣＦＩに基づいて決定される。
【００４６】
ＰＨＩＣＨは、基地局装置３が受信した上りリンクデータ（Uplink Shared Channel: UL-SCH）に対するＨＡＲＱ−ＡＣＫを示すＨＡＲＱインディケータ（ＨＡＲＱフィードバック、応答情報）を送信するために用いられる。例えば、移動局装置１がＡＣＫを示すＨＡＲＱインディケータを受信した場合は、対応する上りリンクデータを再送しない。例えば、移動局装置１がＮＡＣＫを示すＨＡＲＱインディケータを受信した場合は、対応する上りリンクデータを再送する。
【００４７】
ＰＤＣＣＨおよびＥＰＤＣＣＨは、下りリンク制御情報（Downlink Control Information: DCI）を送信するために用いられる。下りリンク制御情報を、ＤＣＩフォーマットとも称する。下りリンク制御情報は、下りリンクグラント（downlink assignment；または下りリンクアサインメント「downlink assignment」とも称する。）および上りリンクグラント（uplink grant）を含む。下りリンクグラントは、単一のセル内の単一のＰＤＳＣＨのスケジューリングに用いられる下りリンク制御情報である。下りリンクグラントは、該下りリンクグラントが送信されたサブフレームと同じサブフレーム内のＰＤＳＣＨのスケジューリングに用いられる。上りリンクグラントは、単一のセル内の単一のＰＵＳＣＨのスケジューリングに用いられる下りリンク制御情報である。上りリンクグラントは、該上りリンクグラントが送信されたサブフレームよりも４つ以上後のサブフレーム内の単一のＰＵＳＣＨのスケジューリングに用いられる。
【００４８】
ＰＤＳＣＨは、下りリンクデータ（Downlink Shared Channel: DL-SCH）を送信するために用いられる。
【００４９】
ＰＭＣＨは、マルチキャストチャネル（Multicast Channel: MCH）を送信するために用いられる。
【００５０】
図１において、下りリンクの無線通信では、以下の下りリンク物理信号が用いられる。下りリンク物理信号は、上位層から出力された情報を送信するために使用されないが、物理層によって使用される。
・同期信号（Synchronization signal: SS）
・下りリンク参照信号（Downlink Reference Signal: DL RS）
【００５１】
同期信号は、移動局装置１が下りリンクの周波数領域および時間領域の同期をとるために用いられる。
【００５２】
下りリンク参照信号は、移動局装置１が下りリンク物理チャネルの伝搬路補正を行なうために用いられる。下りリンク参照信号は、移動局装置１が下りリンクのチャネル状態情報を算出するために用いられる。
【００５３】
下りリンク物理チャネルおよび下りリンク物理信号を総称して、下りリンク信号と称する。上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００５４】
物理チャネルと物理信号とは、複数のセルにまたがって送信されない。物理チャネルと物理信号とは、何れか１つのセルで送信される。
【００５５】
ＢＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。また、トランスポートチャネルをトランスポートブロックとも称する。
【００５６】
以下、本実施形態の無線フレーム（radio frame）の構成について説明する。
【００５７】
図２は、本実施形態の無線フレームの概略構成を示す図である。複数のセルのそれぞれは、同一の無線フレームの構成である。無線フレームのそれぞれは、１０ｍｓ長である。また、無線フレームのそれぞれは１０のサブフレームから構成される。サブフレームのそれぞれは、１ｍｓ長であり、２つの連続するスロットによって定義される。無線フレーム内のｉ番目のサブフレームは、（２×ｉ）番目のスロットと（２×ｉ＋１）番目のスロットとから構成される。スロットのそれぞれは、０．５ｍｓ長である。
【００５８】
以下、本実施形態のスロットの構成について説明する。
【００５９】
図３は、本実施形態のスロットの構成を示す図である。スロットのそれぞれにおいて送信される物理信号または物理チャネルは、リソースグリッドによって表現される。下りリンクにおいて、リソースグリッドは複数のサブキャリアと複数のＯＦＤＭシンボルによって定義される。上りリンクにおいて、リソースグリッドは複数のサブキャリアと複数のＳＣ−ＦＤＭＡシンボルによって定義される。１つのスロットを構成するサブキャリアの数は、セルの上りリンク帯域幅または下りリンク帯域幅に依存する。１つのスロットを構成するＯＦＤＭシンボルまたはＳＣ−ＦＤＭＡシンボルの数は７である。
【００６０】
リソースグリッド内のエレメントのそれぞれをリソースエレメントと称する。リソースエレメントは、サブキャリアの番号ｋ（０、１、...）と、スロット内におけるＯＦＤＭシンボルの番号ｌ（０、１、...、６）またはＳＣ−ＦＤＭＡシンボルの番号ｌ（０、１、...、６）とを用いて識別する。
【００６１】
リソースブロックは、ある物理チャネル（ＰＤＳＣＨまたはＰＵＳＣＨなど）のリソースエレメントへのマッピングを表現するために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。１つの物理リソースブロックは、時間領域において７個の連続するＯＦＤＭシンボルまたはＳＣ−ＦＤＭＡシンボルと周波数領域において１２個の連続するサブキャリアとから定義される。ゆえに、１つの物理リソースブロックは（７ラ１２）個のリソースエレメントから構成される。また、１つの物理リソースブロックは、時間領域において１つのスロットに対応し、そして、周波数領域において１８０ｋＨｚに対応する。物理リソースブロックは周波数領域において０から番号が付けられる。
【００６２】
以下、サブフレームのそれぞれにおいて送信される物理チャネルおよび物理信号について説明する。
【００６３】
図４は、本実施形態の下りリンクサブフレームにおける物理チャネルおよび物理信号の配置の一例を示す図である。基地局装置３は、下りリンクサブフレームにおいて、下りリンク物理チャネル（ＰＢＣＨ、ＰＣＦＩＣＨ、ＰＨＩＣＨ、ＰＤＣＣＨ、ＥＰＤＣＣＨ、ＰＤＳＣＨ）、および下りリンク物理信号（同期信号、下りリンク参照信号）を送信できる。尚、ＰＢＣＨは無線フレーム内のサブフレーム０のみで送信される。尚、同期信号は無線フレーム内のサブフレーム０と５のみに配置される。尚、下りリンク参照信号は周波数領域および時間領域において分散するリソースエレメントに配置される。説明の簡略化のため図４において下りリンク参照信号は図示しない。
【００６４】
ＰＣＦＩＣＨは、第１のスロットの最初のＯＦＤＭシンボルに配置される。ＰＨＩＣＨは、第１のスロットの最初のＯＦＤＭシンボルに配置される。
【００６５】
ＰＤＣＣＨ領域において、複数のＰＤＣＣＨが周波数および時間多重される。ＰＤＣＣＨは、第１のスロットの最初のＯＦＤＭシンボルから順に配置される。ＤＣＩのスパンは、ＣＦＩに基づいて決定される。
【００６６】
ＥＰＤＣＣＨ領域において、複数のＥＰＤＣＣＨが周波数および／または時間多重される。基地局装置３は、サブフレームの第１のスロットでＥＰＤＣＣＨが配置されるＯＦＤＭシンボルの開始位置を示す情報を移動局装置１に送信してもよい。「ＥＰＤＣＣＨが配置されるＯＦＤＭシンボルの開始位置を示す情報」を「epdcch-Start」と称する。「ＥＰＤＣＣＨが配置されるＯＦＤＭシンボルの開始位置」を「ＥＰＤＣＣＣＨリソースエレメントマッピングに対する開始位置」および「ＥＰＤＣＣＨがマップされるリソースエレメントの開始位置」とも称する。
【００６７】
基地局装置３は、セル毎にepdcch-Startを設定する。基地局装置３は、特定の送信モード（例えば、送信モード１０）を移動局装置１に対して設定している場合には、ＥＰＤＣＣＨ領域のそれぞれに対して、異なるepdcch-Startを設定してもよい。送信モードについては、後述する。
【００６８】
移動局装置１は、受信したepdcch-Startに基づいて、サブフレームの第１のスロットでＥＰＤＣＣＨが配置されるＯＦＤＭシンボルの開始位置を判断する。移動局装置１は、epdcch-Startを受信していない場合は、ＤＣＩのスパンに基づいて、サブフレームの第１のスロットでＥＰＤＣＣＨが配置されるＯＦＤＭシンボルの開始位置を判断する。例えば、ＤＣＩのスパンが３である場合（ＰＤＣＣＨ領域が、サブフレームの第１のスロットの１番目と２番目と３番目のＯＦＤＭシンボルから構成される場合）には、移動局装置１は、サブフレームの第１のスロットで、４番目のＯＦＤＭシンボルからＥＰＤＣＣＨが配置されていると判断する。
【００６９】
ＰＤＳＣＨ領域において、複数のＰＤＳＣＨが周波数および空間多重される。ＰＤＳＣＨが配置されるＯＦＤＭシンボルの開始位置については、後述する。
【００７０】
ＰＤＣＣＨは、ＰＤＳＣＨおよびＥＰＤＣＣＨと時間多重される。ＥＰＤＣＣＨはＰＤＳＣＨと周波数多重される。
【００７１】
以下、ＰＤＣＣＨリソースについて説明する。
【００７２】
ＰＤＣＣＨは１つのＰＤＣＣＨ候補（candidate）にマップされる。１つのＰＤＣＣＨ候補は１つまたは複数の連続するＣＣＥ（Control Channel Element）から構成される。ＣＣＥは、ＰＤＣＣＨ領域に配置される。
【００７３】
図５は、本実施形態のＰＤＣＣＨをリソースエレメントにマッピングする方法を示す図である。１つのＣＣＥは３６の変調シンボル（複素数値シンボル: complex-valued symbol）を送信するために使用される。１つのＣＣＥは、９つのｍｉｎｉ−ＣＣＥから構成される。１つのｍｉｎｉ−ＣＣＥは４つの変調シンボルから構成される。基地局装置３は、１つのｍｉｎｉ−ＣＣＥを１つのリソースエレメントグループにマップする。１つのリソースエレメントグループは、周波数領域において４つ連続するリソースエレメントから構成される。つまり、１つの変調シンボルが１つのリソースエレメントにマップされる。
【００７４】
基地局装置３は、ＣＣＥをｍｉｎｉ−ＣＣＥ単位でインターリーブする。次に、基地局装置３は、インターリーブしたｍｉｎｉ−ＣＣＥをサイクリックシフトする。サイクリックシフトの値は、物理レイヤセルアイデンティティ（Physical layer Cell Identity: PCI）の値である。つまり、異なる物理レイヤセル識別子を持つセルの間では、異なる値のサイクリックシフトが行なわれる。これにより、セル間におけるＰＤＣＣＨの干渉をランダム化することができる。尚、移動局装置１は、同期信号から物理レイヤセルアイデンティティを検出することができる。また、基地局装置３は、物理レイヤセルアイデンティティを示す情報を含むハンドオーバーコマンドを移動局装置１に送信することができる。
【００７５】
次に、基地局装置３は、サイクリックシフトしたｍｉｎｉ−ＣＣＥをＰＤＣＣＨ領域のリソースエレメントグループにマップする。基地局装置３は、ＰＨＩＣＨおよびＰＣＦＩＣＨがマップされるリソースエレメントグループ以外のリソースエレメントグループにＰＤＣＣＨのｍｉｎｉ−ＣＣＥをマップする。
【００７６】
以下、ＥＰＤＣＣＨリソースについて説明する。
【００７７】
ＥＰＤＣＣＨは１つのＥＰＤＣＣＨ候補（candidate）にマップされる。１つのＥＰＤＣＣＨ候補は１つまたは複数の連続するＥＣＣＥ（enhanced Control Channel Element）から構成される。単一の移動局装置に対して、複数のＥＰＤＣＣＨ領域が定義されてもよい。基地局装置３は、ＥＰＤＣＣＨ領域を構成する１つまたは複数の物理リソースブロックを示す情報を、移動局装置１に送信する。ＥＰＤＣＣＨ領域のそれぞれに対してＥＣＣＥが定義される。また、単一のＥＣＣＥは、単一のＥＰＤＣＣＨ領域に配置される。ＥＰＤＣＣＨ領域をＥＰＤＣＣＨセットとも称する。
【００７８】
図６は、本実施形態のＥＰＤＣＣＨをリソースエレメントにマッピングする方法を示す図である。１つのＥＣＣＥは複数の変調シンボル（複素数値シンボル: complex-valued symbol）を送信するために使用される。１つのＥＣＣＥは、複数のｍｉｎｉ−ＥＣＣＥから構成される。１つのｍｉｎｉ−ＥＣＣＥは複数の変調シンボルから構成される。基地局装置３は、１つのｍｉｎｉ−ＥＣＣＥを１つのエンハンストリソースエレメントグループにマップする。サブフレーム内において、時間領域で連続している２つの物理リソースブロック（第１のスロットの１つの物理リソースブロックと第２のスロットの１つの物理リソースブロック）を構成する複数のリソースエレメントは、１６のエンハンストリソースエレメントグループに分割される。１つのエンハンストリソースエレメントグループは、９つのリソースエレメントから構成される。
【００７９】
図６において、ＥＰＤＣＣＨセット１に対するＥＣＣＥ（ＥＣＣＥ０、ＥＣＣＥ１、ＥＣＣＥ２、および、ＥＣＣＥ３）は、ＥＰＤＣＣＨセット１のリソースエレメントに配置される。また、図６において、ＥＰＤＣＣＨセット２に対するＥＣＣＥ（ＥＣＣＥ０、ＥＣＣＥ１、ＥＣＣＥ２、および、ＥＣＣＥ３）は、ＥＰＤＣＣＨセット２のリソースエレメントに配置される。尚、本実施形態において、ＥＰＤＣＣＨセットのそれぞれに対応するＥＣＣＥの番号は０から割り振られる。
【００８０】
以下、サーチスペースについて説明する。
【００８１】
サーチスペースは、ＰＤＣＣＨ候補またはＥＰＤＣＣＨ候補のセットから構成される。図７は、本実施形態のサーチスペースの構成の一例を示す図である。ＰＤＣＣＨ領域には、ＣＳＳ（Common Search Space）とＵＳＳ(Use equipment-specific Search Space)とが構成される。ＣＳＳはセカンダリーセルには構成されない。ＣＳＳはプライマリーセルにのみ構成される。
【００８２】
ＥＰＤＣＣＨセットのそれぞれには、ＵＳＳが構成される。ＣＳＳは、複数の移動局装置１に対して共通のリソースによって定義される。ＵＳＳは、移動局装置１のそれぞれに対して独立に定義される。
【００８３】
移動局装置１は、プライマリーセルのＣＳＳにおいてＰＤＣＣＨをモニタする。
【００８４】
あるサービングセルに対して、移動局装置１は、あるサブフレームで、ＰＤＣＣＨ領域のＵＳＳとＥＰＤＣＣＨセットのＵＳＳとのうち何れか一方においてＰＤＣＣＨまたはＥＰＤＣＣＨをモニタする。基地局装置３は、ＰＤＣＣＨ領域のＵＳＳと、ＥＰＤＣＣＨのＵＳＳの何れを移動局装置１がモニタするかをサブフレーム毎に指示する情報を移動局装置１に送信する。移動局装置１は、受信した当該情報に基づいて、あるサブフレームで、ＰＤＣＣＨ領域のＵＳＳでＰＤＣＣＨをモニタするか、ＥＰＤＣＣＨセットのＵＳＳでＥＰＤＣＣＨをモニタするかを決定する。尚、移動局装置１は、当該情報を受信していない場合は、全てのサブフレームで、ＰＤＣＣＨ領域のＵＳＳでＰＤＣＣＨをモニタする。
【００８５】
以下、送信モード（transmission mode）について説明する。
【００８６】
基地局装置３は、上位層の信号を経由して、移動局装置１に対して送信モードを設定する。基地局装置３は、セル毎に送信モードを設定する。移動局装置１は、受信した上位層の信号に基づいて、送信モードを設定する。
【００８７】
移動局装置１は、送信モード１から送信モード１０のうちの１つに応じて、ＰＤＣＣＨ／ＥＰＤＣＣＨを経由してシグナルされるＰＤＳＣＨデータ送信を受信することを、上位層の信号を経由して設定される。
【００８８】
尚、移動局装置１は、上位層の信号を経由して送信モードが設定されていない場合は、送信モード１または送信モード２を設定する。移動局装置１は、ＰＢＣＨの送信に単一のアンテナポートが用いられている、そして、上位層の信号を経由して送信モードが設定されていない場合は、送信モード１を設定する。移動局装置１は、ＰＢＣＨの送信に複数のアンテナポートが用いられている、そして、上位層の信号を経由して送信モードが設定されていない場合は、送信モード２を設定する。
【００８９】
移動局装置1は、上位層によってＰＤＣＣＨをデコードすることを設定された場合は、図８の表で定義された組合せのそれぞれに基づいて、ＰＤＣＣＨと、該ＰＤＣＣＨと対応するＰＤＳＣＨをデコードする。例えば、送信モード７に設定されている移動局装置１は、ＤＣＩフォーマット１ＡをともなうＰＤＣＣＨをＣＳＳとＵＳＳでモニタし、そして、検出したＤＣＩフォーマット１Ａに基づいて、シングルアンテナポート（ポート０）または送信ダイバーシチ方式で送信されたＰＤＳＣＨを受信する。例えば、送信モード７に設定されている移動局装置１は、ＤＣＩフォーマット１をともなうＰＤＣＣＨをＵＳＳでモニタし、そして、検出したＤＣＩフォーマット１に基づいて、シングルアンテナポート（ポート５）で送信されたＰＤＳＣＨを受信する。
【００９０】
移動局装置1は、上位層によってＥＰＤＣＣＨをデコードすることを設定された場合は、図９の表で定義された組合せのそれぞれに基づいて、ＥＰＤＣＣＨと、該ＥＰＤＣＣＨと対応するＰＤＳＣＨをデコードする。例えば、送信モード７に設定されている移動局装置１は、ＤＣＩフォーマット１ＡをともなうＥＰＤＣＣＨをＵＳＳでモニタし、そして、検出したＤＣＩフォーマット１Ａに基づいて、シングルアンテナポート（ポート０）または送信ダイバーシチ方式で送信されたＰＤＳＣＨを受信する。例えば、送信モード７に設定されている移動局装置１は、ＤＣＩフォーマット１をともなうＥＰＤＣＣＨをＵＳＳでモニタし、そして、検出したＤＣＩフォーマット１に基づいて、シングルアンテナポート（ポート５）で送信されたＰＤＳＣＨを受信する。
【００９１】
以下、サブフレームの第１のスロットでＰＤＳＣＨが配置されるＯＦＤＭシンボルの開始位置について説明する。
【００９２】
尚、「ＰＤＳＣＨが配置されるＯＦＤＭシンボルの開始位置」を「ＰＤＳＣＨリソースエレメントマッピングに対する開始位置」および「ＰＤＳＣＨがマップされるリソースエレメント／ＯＦＤＭシンボルの開始位置」とも称する。
【００９３】
図１０から図２０は、ＰＤＳＣＨがマップされるＯＦＤＭシンボルの開始位置を説明するための図である。移動局装置１と基地局装置３は、図１０から図２０に基づいて、セル毎のＰＤＳＣＨがマップされるＯＦＤＭシンボルの開始位置lDataStartを決定する。例えば、送信モード１０が設定され、そして、ＤＣＩフォーマット１ＡでスケジュールされるＰＤＳＣＨを送信および受信する場合には、移動局装置１と基地局装置３は、図１２から図１６のうちいずれか１つの例を用いてセル毎のＰＤＳＣＨがマップされるＯＦＤＭシンボルの開始位置lDataStartを決定する。例えば、送信モード１０が設定され、そして、ＤＣＩフォーマット２ＤでスケジュールされるＰＤＳＣＨを送信および受信する場合には、移動局装置１と基地局装置３は、図１７から図２０のうちいずれか１つの例を用いてセル毎のＰＤＳＣＨがマップされるＯＦＤＭシンボルの開始位置lDataStartを決定する。
【００９４】
基地局装置３は、サブフレームの第１のスロットのｌ＝lDataStartのＯＦＤＭシンボルからＰＤＳＣＨをマップする。移動局装置１は、サブフレームの第１のスロットのｌ＝lDataStartのＯＦＤＭシンボルからＰＤＳＣＨをデマップする。
【００９５】
図１０は、あるセル対して送信モード１から９の何れかが設定された移動局装置１に対するＰＤＳＣＨがマップされるＯＦＤＭシンボルの開始位置を説明するための図である。
【００９６】
送信モード１から９の何れかが設定された移動局装置１は、ＤＣＩフォーマット１、１Ａ、１Ｂ、１Ｃ、１Ｄ、２、２Ａ、２Ｂ、または２Ｃをモニタする。ＤＣＩフォーマット１Ｃは、ＰＣＨ（Paging Channel）、ランダムアクセスレスポンス、システムインフォメーションブロックのスケジューリングなどに用いられる。また、ＤＣＩフォーマット１ＣはＣＳＳのみで送信される。
【００９７】
図１０において、送信モード１から９の何れかが設定された移動局装置１に対して、移動局装置１がセルに対してキャリアインディケータフィールド（Carrier Indicator Field: CIF）を設定されている場合であり、そして、移動局装置１がＰＤＳＣＨと当該ＰＤＳＣＨが対応するＰＤＣＣＨ／ＥＰＤＣＣＨとを異なるセルで受信する場合には、ＰＤＳＣＨを受信するセルに対する上位層パラメータpdsch-StartによってlDataStartが与えられる。
【００９８】
キャリアインディケータフィールドは、ＤＣＩフォーマットに含まれる。キャリアインディケータフィールドには、キャリアインディケータがマップされる。キャリアインディケータは、ＤＣＩフォーマットが対応するセルを指示するために使用される。
【００９９】
基地局装置３は、セル毎に、該セルで送信されるＤＣＩフォーマットにキャリアインディケータフィールドが含まれるかどうかを設定することができる。基地局装置３は、セカンダリーセル毎に、該セカンダリーセルのスケジューリングに用いられるＤＣＩフォーマットが送信されるセルを設定することができる。プライマリーセルのスケジューリングに用いられるＤＣＩフォーマットは、必ずプライマリーセルで送信される。
【０１００】
基地局装置３は、他のセルのＤＣＩフォーマットによってスケジュールされるセル毎に対してpdsch-Startを設定する。尚、キャリアインディケータの設定およびpdsch-Startの設定は、同一のセルを用いて通信する移動局装置１毎に異なってもよい。
【０１０１】
図１０において、送信モード１から９の何れかが設定された移動局装置１に対して、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨと同じセルで受信する場合であり、そして、移動局装置１がＥＰＤＣＣＨでＤＣＩフォーマット１、１Ａ、１Ｂ、１Ｃ、１Ｄ、２、２Ａ、２Ｂ、または２Ｃを検出した場合であり、そして、該セルに対する上位層パラメータepdcch-Startに対する値を上位層によって設定されている場合には、上位層パラメータepdcch-StartによってlDataStartが与えられる。
【０１０２】
図１０において、送信モード１から９の何れかが設定された移動局装置１に対して、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、移動局装置１がＰＤＣＣＨでＤＣＩフォーマット１、１Ａ、１Ｂ、１Ｃ、１Ｄ、２、２Ａ、２Ｂ、または２Ｃを検出した場合には、セルのＣＦＩによって与えられるＤＣＩのスパンによってlDataStartが与えられる。
【０１０３】
図１０において、送信モード１から９の何れかが設定された移動局装置１に対して、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、移動局装置１がＥＰＤＣＣＨでＤＣＩフォーマット１、１Ａ、１Ｂ、１Ｃ、１Ｄ、２、２Ａ、２Ｂ、または２Ｃを検出した場合であり、そして、セルに対する上位層パラメータepdcch-Startに対する値を上位層によって設定されていない場合には、セルのＣＦＩによって与えられるＤＣＩのスパンによってlDataStartが与えられる。
【０１０４】
図１１は、あるセル対して送信モード１０が設定された移動局装置１に対する、ＤＣＩフォーマット１ＣによってスケジュールされるＰＤＳＣＨがマップされるＯＦＤＭシンボルの開始位置を説明するための図である。送信モード１０が設定され、そして、ＤＣＩフォーマット１ＣでスケジュールされるＰＤＳＣＨを受信する移動局装置１に対して、セルのＣＦＩによって与えられるＤＣＩのスパンによってlDataStartが与えられる。
【０１０５】
図１２は、あるセル対して送信モード１０が設定された移動局装置１に対する、ＤＣＩフォーマット１ＡによってスケジュールされるＰＤＳＣＨがマップされるＯＦＤＭシンボルの開始位置の第１の例を説明するための図である。
【０１０６】
図１２において、送信モード１０が設定され、そして、ＤＣＩフォーマット１ＡでスケジュールされるＰＤＳＣＨを受信する移動局装置１に対して、移動局装置１がセルに対してキャリアインディケータフィールドを設定されている場合であり、そして、移動局装置１がＰＤＳＣＨと当該ＰＤＳＣＨが対応するＰＤＣＣＨ／ＥＰＤＣＣＨとを異なるセルで受信する場合には、ＰＤＳＣＨを受信するセルに対する上位層パラメータpdsch-StartによってlDataStartが与えられる。
【０１０７】
図１２において、送信モード１０が設定され、そして、ＤＣＩフォーマット１ＡでスケジュールされるＰＤＳＣＨを受信する移動局装置１に対して、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、移動局装置１がＥＰＤＣＣＨでＤＣＩフォーマット１Ａを検出した場合であり、そして、セルに対する上位層パラメータepdcch-Startに対する値を上位層によって設定されている場合には、セルに対する上位層パラメータepdcch-Start、または、ＥＰＤＣＣＨを受信したＥＰＤＣＣＨセットに対するepdcch-StartによってlDataStartが与えられる。
【０１０８】
図１２において、送信モード１０が設定され、そして、ＤＣＩフォーマット１ＡでスケジュールされるＰＤＳＣＨを受信する移動局装置１に対して、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、移動局装置１がＰＤＣＣＨでＤＣＩフォーマット１Ａを検出した場合には、セルのＣＦＩによって与えられるＤＣＩのスパンによってlDataStartが与えられる。
【０１０９】
図１２において、送信モード１０が設定され、そして、ＤＣＩフォーマット１ＡでスケジュールされるＰＤＳＣＨを受信する移動局装置１に対して、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、移動局装置１がＥＰＤＣＣＨでＤＣＩフォーマット１Ａを検出した場合であり、そして、セルに対する上位層パラメータepdcch-Startに対する値を上位層によって設定されていない場合には、セルのＣＦＩによって与えられるＤＣＩのスパンによってlDataStartが与えられる。
【０１１０】
図１３は、あるセル対して送信モード１０が設定された移動局装置１に対する、ＤＣＩフォーマット１ＡによってスケジュールされるＰＤＳＣＨがマップされるＯＦＤＭシンボルの開始位置の第２の例を説明するための図である。
【０１１１】
図１３において、送信モード１０が設定され、そして、ＤＣＩフォーマット１ＡでスケジュールされるＰＤＳＣＨを受信する移動局装置１に対して、移動局装置１がセルに対してキャリアインディケータフィールドを設定されている場合であり、そして、移動局装置１がＰＤＳＣＨと当該ＰＤＳＣＨが対応するＰＤＣＣＨ／ＥＰＤＣＣＨとを異なるセルで受信する場合には、ＰＤＳＣＨを受信するセルに対する上位層パラメータpdsch-StartによってlDataStartが与えられる。
【０１１２】
図１３において、送信モード１０が設定され、そして、ＤＣＩフォーマット１ＡでスケジュールされるＰＤＳＣＨを受信する移動局装置１に対して、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、セルに対する上位層パラメータ‘PDSCH starting position for PDSCH RE mapping’の値が０、１、２、３、または、４である場合には、ＤＣＩフォーマット１Ａに対応する上位層パラメータ‘PDSCH starting position for PDSCH RE mapping’によってlDataStartが与えられる。
【０１１３】
図１３において、送信モード１０が設定され、そして、ＤＣＩフォーマット１ＡでスケジュールされるＰＤＳＣＨを受信する移動局装置１に対して、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、セルに対する上位層パラメータ‘PDSCH starting position for PDSCH RE mapping’の値が５である場合には、セルのＣＦＩによって与えられるＤＣＩのスパンによってlDataStartが与えられる。
【０１１４】
‘PDSCH starting position for PDSCH RE mapping’は、０から５の値をとりうる。基地局装置３は、セル毎に対して上位層パラメータ‘PDSCH starting position for PDSCH RE mapping’を設定してもよい。移動局装置１は、セルに対する上位層パラメータ‘PDSCH starting position for PDSCH RE mapping’を基地局装置３によって設定されない場合は、セルに対する上位層パラメータ‘PDSCH starting position for PDSCH RE mapping’を５にセットする。
【０１１５】
つまり、「セルに対する上位層パラメータ‘PDSCH starting position for PDSCH RE mapping’の値が５である場合」は、「セルに対する上位層パラメータ‘PDSCH starting position for PDSCH RE mapping’の値が上位層によって設定されていない場合」を含む。
【０１１６】
また、「セルに対する上位層パラメータ‘PDSCH starting position for PDSCH RE mapping’の値が０、１、２、３、または、４である場合」は、「セルに対する上位層パラメータ‘PDSCH starting position for PDSCH RE mapping’の値が上位層によって設定されている場合」である。
【０１１７】
基地局装置３は、上位層の信号を経由して、移動局装置１に上位層パラメータを設定する。基地局装置３は、上位層パラメータの値を示す上位層の信号を、移動局装置１に送信する。移動局装置１は、受信した上位層の信号に基づいて、上位層パラメータを設定する。
【０１１８】
尚、epdcch-Startは、０から５の値をとりうる。移動局装置１は、セルに対する上位層パラメータepdcch-Startを基地局装置３によって設定されない場合は、セルに対する上位層パラメータepdcch-Startを５にセットしてもよい。
【０１１９】
つまり、「セルに対する上位層パラメータepdcch-Startの値が５である場合」は、「セルに対する上位層パラメータepdcch-Startの値が上位層によって設定されていない場合」を含む。
【０１２０】
また、「セルに対する上位層パラメータepdcch-Startの値が０、１、２、３、または、４である場合」は、「セルに対する上位層パラメータepdcch-Startの値が上位層によって設定されている場合」である。
【０１２１】
基地局装置３は、上位層の信号を経由して、移動局装置１に上位層パラメータを設定する。基地局装置３は、上位層パラメータの値を示す上位層の信号を、移動局装置１に送信する。移動局装置１は、受信した上位層の信号に基づいて、上位層パラメータを設定する。
【０１２２】
図１４は、あるセル対して送信モード１０が設定された移動局装置１に対する、ＤＣＩフォーマット１ＡによってスケジュールされるＰＤＳＣＨがマップされるＯＦＤＭシンボルの開始位置の第３の例を説明するための図である。
【０１２３】
図１４において、送信モード１０が設定され、そして、ＤＣＩフォーマット１ＡでスケジュールされるＰＤＳＣＨを受信する移動局装置１に対して、移動局装置１がセルに対してキャリアインディケータフィールドを設定されている場合であり、そして、移動局装置１がＰＤＳＣＨと当該ＰＤＳＣＨが対応するＰＤＣＣＨ／ＥＰＤＣＣＨとを異なるセルで受信する場合には、ＰＤＳＣＨを受信するセルに対する上位層パラメータpdsch-StartによってlDataStartが与えられる。
【０１２４】
図１４において、送信モード１０が設定され、そして、ＤＣＩフォーマット１ＡでスケジュールされるＰＤＳＣＨを受信する移動局装置１に対して、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、移動局装置１がＥＰＤＣＣＨでＤＣＩフォーマット１Ａを検出した場合であり、そして、セルに対する上位層パラメータ‘PDSCH starting position for PDSCH RE mapping’の値が０、１、２、３、または、４である場合には、ＤＣＩフォーマット１Ａに対応する上位層パラメータ‘PDSCH starting position for PDSCH RE mapping’によってlDataStartが与えられる。
【０１２５】
図１４において、送信モード１０が設定され、そして、ＤＣＩフォーマット１ＡでスケジュールされるＰＤＳＣＨを受信する移動局装置１に対して、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、移動局装置１がＰＤＣＣＨでＤＣＩフォーマット１Ａを検出した場合には、セルのＣＦＩによって与えられるＤＣＩのスパンによってlDataStartが与えられる。
【０１２６】
図１４において、送信モード１０が設定され、そして、ＤＣＩフォーマット１ＡでスケジュールされるＰＤＳＣＨを受信する移動局装置１に対して、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、移動局装置１がＥＰＤＣＣＨでＤＣＩフォーマット１Ａを検出した場合であり、そして、セルに対する上位層パラメータ‘PDSCH starting position for PDSCH RE mapping’の値が５である場合には、セルのＣＦＩによって与えられるＤＣＩのスパンによってlDataStartが与えられる。
【０１２７】
図１５は、あるセル対して送信モード１０が設定された移動局装置１に対する、ＤＣＩフォーマット１ＡによってスケジュールされるＰＤＳＣＨがマップされるＯＦＤＭシンボルの開始位置の第４の例を説明するための図である。
【０１２８】
図１５において、送信モード１０が設定され、そして、ＤＣＩフォーマット１ＡでスケジュールされるＰＤＳＣＨを受信する移動局装置１に対して、移動局装置１がセルに対してキャリアインディケータフィールドを設定されている場合であり、そして、移動局装置１がＰＤＳＣＨと当該ＰＤＳＣＨが対応するＰＤＣＣＨ／ＥＰＤＣＣＨとを異なるセルで受信する場合には、ＰＤＳＣＨを受信するセルに対する上位層パラメータpdsch-StartによってlDataStartが与えられる。
【０１２９】
図１５において、送信モード１０が設定され、そして、ＤＣＩフォーマット１ＡでスケジュールされるＰＤＳＣＨを受信する移動局装置１に対して、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、移動局装置１がＵＳＳでＤＣＩフォーマット１Ａを検出した場合であり、そして、セルに対する上位層パラメータ‘PDSCH starting position for PDSCH RE mapping’の値が０、１、２、３、または、４である場合には、ＤＣＩフォーマット１Ａに対応する上位層パラメータ‘PDSCH starting position for PDSCH RE mapping’によってlDataStartが与えられる。
【０１３０】
図１５において、送信モード１０が設定され、そして、ＤＣＩフォーマット１ＡでスケジュールされるＰＤＳＣＨを受信する移動局装置１に対して、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、移動局装置１がＣＳＳでＤＣＩフォーマット１Ａを検出した場合には、セルのＣＦＩによって与えられるＤＣＩのスパンによってlDataStartが与えられる。
【０１３１】
図１５において、送信モード１０が設定され、そして、ＤＣＩフォーマット１ＡでスケジュールされるＰＤＳＣＨを受信する移動局装置１に対して、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、移動局装置１がＵＳＳでＤＣＩフォーマット１Ａを検出した場合であり、そして、セルに対する上位層パラメータ‘PDSCH starting position for PDSCH RE mapping’の値が５である場合には、セルのＣＦＩによって与えられるＤＣＩのスパンによってlDataStartが与えられる。
【０１３２】
図１６は、あるセル対して送信モード１０が設定された移動局装置１に対する、ＤＣＩフォーマット１ＡによってスケジュールされるＰＤＳＣＨがマップされるＯＦＤＭシンボルの開始位置の第５の例を説明するための図である。
【０１３３】
図１６において、送信モード１０が設定され、そして、ＤＣＩフォーマット１ＡでスケジュールされるＰＤＳＣＨを受信する移動局装置１に対して、移動局装置１がセルに対してキャリアインディケータフィールドを設定されている場合であり、そして、移動局装置１がＰＤＳＣＨと当該ＰＤＳＣＨが対応するＰＤＣＣＨ／ＥＰＤＣＣＨとを異なるセルで受信する場合には、ＰＤＳＣＨを受信するセルに対する上位層パラメータpdsch-StartによってlDataStartが与えられる。
【０１３４】
図１６において、送信モード１０が設定され、そして、ＤＣＩフォーマット１ＡでスケジュールされるＰＤＳＣＨを受信する移動局装置１に対して、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、セルに対する上位層パラメータ‘PDSCH starting position for PDSCH RE mapping’の値が０、１、２、３、または、４である場合には、ＤＣＩフォーマット１Ａに対応する上位層パラメータ‘PDSCH starting position for PDSCH RE mapping’によってlDataStartが与えられる。
【０１３５】
図１６において、送信モード１０が設定され、そして、ＤＣＩフォーマット１ＡでスケジュールされるＰＤＳＣＨを受信する移動局装置１に対して、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、移動局装置１がＥＰＤＣＣＨでＤＣＩフォーマット１Ａを検出した場合であり、そして、セルに対する上位層パラメータ‘PDSCH starting position for PDSCH RE mapping’の値が５である場合であり、そして、セルに対する上位層パラメータepdcch-Startに対する値を上位層によって設定されている場合には、セルに対する上位層パラメータepdcch-Start、または、ＥＰＤＣＣＨを受信したＥＰＤＣＣＨセットに対するepdcch-StartによってlDataStartが与えられる。
【０１３６】
図１６において、送信モード１０が設定され、そして、ＤＣＩフォーマット１ＡでスケジュールされるＰＤＳＣＨを受信する移動局装置１に対して、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、移動局装置１がＰＤＣＣＨでＤＣＩフォーマット１Ａを検出した場合であり、そして、セルに対する上位層パラメータ‘PDSCH starting position for PDSCH RE mapping’の値が５である場合には、セルのＣＦＩによって与えられるＤＣＩのスパンによってlDataStartが与えられる。
【０１３７】
図１６において、送信モード１０が設定され、そして、ＤＣＩフォーマット１ＡでスケジュールされるＰＤＳＣＨを受信する移動局装置１に対して、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、移動局装置１がＥＰＤＣＣＨでＤＣＩフォーマット１Ａを検出した場合であり、そして、セルに対する上位層パラメータ‘PDSCH starting position for PDSCH RE mapping’の値が５である場合であり、そして、セルに対する上位層パラメータepdcch-Startに対する値を上位層によって設定されていない場合には、セルのＣＦＩによって与えられるＤＣＩのスパンによってlDataStartが与えられる。
【０１３８】
図１７は、あるセル対して送信モード１０が設定された移動局装置１に対する、ＤＣＩフォーマット２ＤによってスケジュールされるＰＤＳＣＨがマップされるＯＦＤＭシンボルの開始位置の第１の例を説明するための図である。
【０１３９】
基地局装置３は、ＤＣＩフォーマット２Ｄに対する４つの上位層パラメータのセットを、移動局装置１に設定することができる。当該上位層パラメータのセットは、少なくとも‘PDSCH starting position for PDSCH RE mapping’と‘MBSFN subframe configuration for PDSCH RE mapping’とを含む。
【０１４０】
基地局装置３は、上位層パラメータの４つのセットのうち１つを示す情報を、移動局装置１に送信する。上位層パラメータの４つのセットのうち１つを示す情報は、ＤＣＩフォーマット２Ｄに含まれる。つまり、ＤＣＩフォーマット２Ｄから‘PDSCH starting position for PDSCH RE mapping’および‘MBSFN subframe configuration for PDSCH RE mapping’が決定される。
【０１４１】
ＭＢＳＦＮサブフレームには、ＰＤＣＣＨとＰＭＣＨ、または、ＰＤＣＣＨとＰＤＳＣＨを同時にマップできる。ＭＢＳＦＮ（Multimedia Broadcast multicast service over a Single Frequency Network）サブフレームには、ＰＭＣＨとＰＤＳＣＨを同時にマップすることはできない。ＭＢＳＦＮサブフレームにおいて、ＤＣＩのスパンは１または２である。
【０１４２】
‘MBSFN subframe configuration for PDSCH RE mapping’はＰＤＳＣＨのリソースエレメントのマッピングに対してのみ用いられるパラメータである。実際に、サブフレームがＭＢＳＦＮサブフレームかどうかを示す上位層のパラメータ‘MBSFN subframe configuration’は、‘MBSFN subframe configuration for PDSCH RE mapping’とは別に定義される。
【０１４３】
例えば、‘MBSFN subframe configuration’と‘MBSFN subframe configuration for PDSCH RE mapping’はビットマップであり、そして、該ビットマップの１つのビットが１つのサブフレームに対応する。該ビットマップは周期的に用いられる。例えば、値が１であるビットが対応するサブフレームは、‘MBSFN subframe configuration’または‘MBSFN subframe configuration for PDSCH RE mapping’によって指示されたサブフレームである。
【０１４４】
‘MBSFN subframe configuration’によって指示されたサブフレームは、ＭＢＳＦＮサブフレームである。‘MBSFN subframe configuration’によって指示されないサブフレームは、ｎｏｎ−ＭＢＳＦＮサブフレームである。
【０１４５】
移動局装置１は、基地局装置３によって‘MBSFN subframe configuration for PDSCH RE mapping’を設定されない場合は、‘MBSFN subframe configuration for PDSCH RE mapping’に‘MBSFN subframe configuration’のビットマップをセットする。移動局装置１は、基地局装置３によって‘PDSCH starting position for PDSCH RE mapping’を設定されない場合は、‘PDSCH starting position for PDSCH RE mapping’に５をセットする。
【０１４６】
図１７において、送信モード１０が設定され、そして、ＤＣＩフォーマット２ＤでスケジュールされるＰＤＳＣＨを受信する移動局装置１に対して、ＰＤＳＣＨを受信するセルに対するＤＣＩフォーマット２Ｄから決定される‘PDSCH starting position for PDSCH RE mapping’の値が０、１、２、３、または、４である場合には、l'DataStartに‘PDSCH starting position for PDSCH RE mapping’の値をセットする。
【０１４７】
図１７において、送信モード１０が設定され、そして、ＤＣＩフォーマット２ＤでスケジュールされるＰＤＳＣＨを受信する移動局装置１に対して、ＰＤＳＣＨを受信するセルに対するＤＣＩフォーマット２Ｄから決定される‘PDSCH starting position for PDSCH RE mapping’の値が５である場合であり、そして、移動局装置１がセルに対してキャリアインディケータフィールドを設定されている場合であり、そして、移動局装置１がＰＤＳＣＨと当該ＰＤＳＣＨが対応するＰＤＣＣＨ／ＥＰＤＣＣＨとを異なるセルで受信する場合には、ＰＤＳＣＨを受信するセルに対する上位層パラメータpdsch-Startによってl'DataStartが与えられる。
【０１４８】
図１７において、送信モード１０が設定され、そして、ＤＣＩフォーマット２ＤでスケジュールされるＰＤＳＣＨを受信する移動局装置１に対して、ＰＤＳＣＨを受信するセルに対するＤＣＩフォーマット２Ｄから決定される‘PDSCH starting position for PDSCH RE mapping’の値が５である場合であり、そして、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、移動局装置１がＥＰＤＣＣＨでＤＣＩフォーマット２Ｄを検出した場合であり、そして、セルに対する上位層パラメータepdcch-Startに対する値を上位層によって設定されている場合には、セルに対する上位層パラメータepdcch-Start、または、ＥＰＤＣＣＨを受信したＥＰＤＣＣＨセットに対するepdcch-Startによってl'DataStartが与えられる。
【０１４９】
図１７において、送信モード１０が設定され、そして、ＤＣＩフォーマット２ＤでスケジュールされるＰＤＳＣＨを受信する移動局装置１に対して、ＰＤＳＣＨを受信するセルに対するＤＣＩフォーマット２Ｄから決定される‘PDSCH starting position for PDSCH RE mapping’の値が５である場合であり、そして、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、移動局装置１がＰＤＣＣＨでＤＣＩフォーマット２Ｄを検出した場合には、セルのＣＦＩによって与えられるＤＣＩのスパンによってl'DataStartが与えられる。
【０１５０】
図１７において、送信モード１０が設定され、そして、ＤＣＩフォーマット２ＤでスケジュールされるＰＤＳＣＨを受信する移動局装置１に対して、ＰＤＳＣＨを受信するセルに対するＤＣＩフォーマット２Ｄから決定される‘PDSCH starting position for PDSCH RE mapping’の値が５である場合であり、そして、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、移動局装置１がＥＰＤＣＣＨでＤＣＩフォーマット２Ｄを検出した場合であり、そして、セルに対する上位層パラメータepdcch-Startに対する値を上位層によって設定されていない場合には、セルのＣＦＩによって与えられるＤＣＩのスパンによってl'DataStartが与えられる。
【０１５１】
図１７において、ＰＤＳＣＨを受信するセルに対するＤＣＩフォーマット２Ｄから決定される‘MBSFN subframe configuration for PDSCH RE mapping’によって、サブフレームが指示されている場合には、数式（１）に基づいてlDataStartが与えられる。ｍｉｎ（Ｘ，Ｙ）は、入力された値（括弧の中の値）のうち最も小さい値を出力する関数である。
【０１５２】
【数１】
2014069601.tif 000003
【０１５３】
図１７において、ＰＤＳＣＨを受信するセルに対するＤＣＩフォーマット２Ｄから決定される‘MBSFN subframe configuration for PDSCH RE mapping’によって、サブフレームが指示されている場合以外には、lDataStartにl'DataStartの値をセットする。
【０１５４】
ＤＣＩフォーマット２Ｄに対する４つの上位層パラメータ‘PDSCH starting position for PDSCH RE mapping’の１つは、ＤＣＩフォーマット１Ａに対する上位層パラメータ‘PDSCH starting position for PDSCH RE mapping’と共通でもよい。また、ＤＣＩフォーマット２Ｄに対する４つの上位層パラメータ‘PDSCH starting position for PDSCH RE mapping’は、ＤＣＩフォーマット１Ａに対する上位層パラメータ‘PDSCH starting position for PDSCH RE mapping’とは独立に定義してもよい。
【０１５５】
尚、送信モード１０が設定され、そして、ＤＣＩフォーマット１ＡでスケジュールされるＰＤＳＣＨを受信する移動局装置１に対して、図１７の例を適用してもよい。この場合には、ＤＣＩフォーマット１Ａに対して上位層パラメータの１つのセットを設定できる。ＤＣＩフォーマット２Ｄに対する上位層パラメータの４つのセットの１つは、ＤＣＩフォーマット１Ａに対する上位層パラメータの1つのセットと共通でもよい。また、ＤＣＩフォーマット２Ｄに対する上位層パラメータの４つのセットの１つは、ＤＣＩフォーマット１Ａに対する上位層パラメータの1つのセットとは独立に定義してもよい。
【０１５６】
図１８は、あるセル対して送信モード１０が設定された移動局装置１に対する、ＤＣＩフォーマット２ＤによってスケジュールされるＰＤＳＣＨがマップされるＯＦＤＭシンボルの開始位置の第２の例を説明するための図である。
【０１５７】
図１８において、送信モード１０が設定され、そして、ＤＣＩフォーマット２ＤでスケジュールされるＰＤＳＣＨを受信する移動局装置１に対して、ＰＤＳＣＨを受信するセルに対するＤＣＩフォーマット２Ｄから決定される‘PDSCH starting position for PDSCH RE mapping’の値が０、１、２、３、または、４である場合には、l'DataStartに‘PDSCH starting position for PDSCH RE mapping’の値をセットする。
【０１５８】
図１８において、送信モード１０が設定され、そして、ＤＣＩフォーマット２ＤでスケジュールされるＰＤＳＣＨを受信する移動局装置１に対して、ＰＤＳＣＨを受信するセルに対するＤＣＩフォーマット２Ｄから決定される‘PDSCH starting position for PDSCH RE mapping’の値が５である場合であり、そして、移動局装置１がセルに対してキャリアインディケータフィールドを設定されている場合であり、そして、移動局装置１がＰＤＳＣＨと当該ＰＤＳＣＨが対応するＰＤＣＣＨ／ＥＰＤＣＣＨとを異なるセルで受信する場合には、ＰＤＳＣＨを受信するセルに対する上位層パラメータpdsch-Startによってl'DataStartが与えられる。
【０１５９】
図１８において、送信モード１０が設定され、そして、ＤＣＩフォーマット２ＤでスケジュールされるＰＤＳＣＨを受信する移動局装置１に対して、ＰＤＳＣＨを受信するセルに対するＤＣＩフォーマット２Ｄから決定される‘PDSCH starting position for PDSCH RE mapping’の値が５である場合であり、そして、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、ＤＣＩフォーマット１Ａに対する上位層パラメータ‘PDSCH starting position for PDSCH RE mapping’の値が０、１、２、３、または、４である場合には、ＤＣＩフォーマット１Ａに対応する上位層パラメータ‘PDSCH starting position for PDSCH RE mapping’によってl'DataStartが与えられる。
【０１６０】
図１８において、送信モード１０が設定され、そして、ＤＣＩフォーマット２ＤでスケジュールされるＰＤＳＣＨを受信する移動局装置１に対して、ＰＤＳＣＨを受信するセルに対するＤＣＩフォーマット２Ｄから決定される‘PDSCH starting position for PDSCH RE mapping’の値が５である場合であり、そして、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、ＤＣＩフォーマット１Ａに対する上位層パラメータ‘PDSCH starting position for PDSCH RE mapping’の値が５である場合には、セルのＣＦＩによって与えられるＤＣＩのスパンによってl'DataStartが与えられる。
【０１６１】
図１８において、ＰＤＳＣＨがＤＣＩフォーマット２Ｄによってスケジュールされており、そして、ＰＤＳＣＨを受信するセルに対するＤＣＩフォーマット２Ｄから決定される‘MBSFN subframe configuration for PDSCH RE mapping’によってサブフレームが指示されている場合、ＰＤＳＣＨがＤＣＩフォーマット１Ａによってスケジュールされており、そして、ＰＤＳＣＨを受信するセルに対するＤＣＩフォーマット１Ａに対する‘MBSFN subframe configuration for PDSCH RE mapping’によってサブフレームが指示されている場合には、数式（１）に基づいてlDataStartが与えられる。図１８において、それ以外の場合には、lDataStartにl'DataStartの値をセットする。
【０１６２】
当該「それ以外の場合」は、「ＰＤＳＣＨがＤＣＩフォーマット２Ｄによってスケジュールされており、そして、ＰＤＳＣＨを受信するセルに対するＤＣＩフォーマット２Ｄから決定される‘MBSFN subframe configuration for PDSCH RE mapping’によってサブフレームが指示されていない場合」、および、「ＰＤＳＣＨがＤＣＩフォーマット１Ａによってスケジュールされており、そして、ＰＤＳＣＨを受信するセルに対するＤＣＩフォーマット１Ａに対する‘MBSFN subframe configuration for PDSCH RE mapping’によってサブフレームが指示されていない場合」を含む。
【０１６３】
図１９は、あるセル対して送信モード１０が設定された移動局装置１に対する、ＤＣＩフォーマット２ＤによってスケジュールされるＰＤＳＣＨがマップされるＯＦＤＭシンボルの開始位置の第３の例を説明するための図である。
【０１６４】
図１９において、送信モード１０が設定され、そして、ＤＣＩフォーマット２ＤでスケジュールされるＰＤＳＣＨを受信する移動局装置１に対して、ＰＤＳＣＨを受信するセルに対するＤＣＩフォーマット２Ｄから決定される‘PDSCH starting position for PDSCH RE mapping’の値が０、１、２、３、または、４である場合には、l'DataStartに‘PDSCH starting position for PDSCH RE mapping’の値をセットする。
【０１６５】
図１９において、送信モード１０が設定され、そして、ＤＣＩフォーマット２ＤでスケジュールされるＰＤＳＣＨを受信する移動局装置１に対して、ＰＤＳＣＨを受信するセルに対するＤＣＩフォーマット２Ｄから決定される‘PDSCH starting position for PDSCH RE mapping’の値が５である場合であり、そして、移動局装置１がセルに対してキャリアインディケータフィールドを設定されている場合であり、そして、移動局装置１がＰＤＳＣＨと当該ＰＤＳＣＨが対応するＰＤＣＣＨ／ＥＰＤＣＣＨとを異なるセルで受信する場合には、ＰＤＳＣＨを受信するセルに対する上位層パラメータpdsch-Startによってl'DataStartが与えられる。
【０１６６】
図１９において、送信モード１０が設定され、そして、ＤＣＩフォーマット２ＤでスケジュールされるＰＤＳＣＨを受信する移動局装置１に対して、ＰＤＳＣＨを受信するセルに対するＤＣＩフォーマット２Ｄから決定される‘PDSCH starting position for PDSCH RE mapping’の値が５である場合であり、そして、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、移動局装置１がＥＰＤＣＣＨでＤＣＩフォーマット２Ｄを検出した場合であり、そして、ＤＣＩフォーマット１Ａに対する上位層パラメータ‘PDSCH starting position for PDSCH RE mapping’の値が０、１、２、３、または、４である場合には、ＤＣＩフォーマット１Ａに対応する上位層パラメータ‘PDSCH starting position for PDSCH RE mapping’によってl'DataStartが与えられる。
【０１６７】
図１９において、送信モード１０が設定され、そして、ＤＣＩフォーマット２ＤでスケジュールされるＰＤＳＣＨを受信する移動局装置１に対して、ＰＤＳＣＨを受信するセルに対するＤＣＩフォーマット２Ｄから決定される‘PDSCH starting position for PDSCH RE mapping’の値が５である場合であり、そして、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、移動局装置１がＰＤＣＣＨでＤＣＩフォーマット２Ｄを検出した場合には、セルのＣＦＩによって与えられるＤＣＩのスパンによってl'DataStartが与えられる。
【０１６８】
図１９において、送信モード１０が設定され、そして、ＤＣＩフォーマット２ＤでスケジュールされるＰＤＳＣＨを受信する移動局装置１に対して、ＰＤＳＣＨを受信するセルに対するＤＣＩフォーマット２Ｄから決定される‘PDSCH starting position for PDSCH RE mapping’の値が５である場合であり、そして、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、移動局装置１がＥＰＤＣＣＨでＤＣＩフォーマット２Ｄを検出した場合であり、そして、ＤＣＩフォーマット１Ａに対する上位層パラメータ‘PDSCH starting position for PDSCH RE mapping’の値が５である場合には、セルのＣＦＩによって与えられるＤＣＩのスパンによってl'DataStartが与えられる。
【０１６９】
図１９において、ＰＤＳＣＨがＤＣＩフォーマット２Ｄによってスケジュールされており、そして、ＰＤＳＣＨを受信するセルに対するＤＣＩフォーマット２Ｄから決定される‘MBSFN subframe configuration for PDSCH RE mapping’によってサブフレームが指示されている場合、ＰＤＳＣＨがＤＣＩフォーマット１Ａによってスケジュールされており、そして、ＰＤＳＣＨを受信するセルに対するＤＣＩフォーマット１Ａに対する‘MBSFN subframe configuration for PDSCH RE mapping’によってサブフレームが指示されている場合には、数式（１）に基づいてlDataStartが与えられる。図１９において、それ以外の場合には、lDataStartにl'DataStartの値をセットする。
【０１７０】
当該「それ以外の場合」は、「ＰＤＳＣＨがＤＣＩフォーマット２Ｄによってスケジュールされており、そして、ＰＤＳＣＨを受信するセルに対するＤＣＩフォーマット２Ｄから決定される‘MBSFN subframe configuration for PDSCH RE mapping’によってサブフレームが指示されていない場合」、および、「ＰＤＳＣＨがＤＣＩフォーマット１Ａによってスケジュールされており、そして、ＰＤＳＣＨを受信するセルに対するＤＣＩフォーマット１Ａに対する‘MBSFN subframe configuration for PDSCH RE mapping’によってサブフレームが指示されていない場合」を含む。
【０１７１】
図２０は、あるセル対して送信モード１０が設定された移動局装置１に対する、ＤＣＩフォーマット２ＤによってスケジュールされるＰＤＳＣＨがマップされるＯＦＤＭシンボルの開始位置の第４の例を説明するための図である。
【０１７２】
図２０において、送信モード１０が設定され、そして、ＤＣＩフォーマット２ＤでスケジュールされるＰＤＳＣＨを受信する移動局装置１に対して、ＰＤＳＣＨを受信するセルに対するＤＣＩフォーマット２Ｄから決定される‘PDSCH starting position for PDSCH RE mapping’の値が０、１、２、３、または、４である場合には、l'DataStartに‘PDSCH starting position for PDSCH RE mapping’の値をセットする。
【０１７３】
図２０において、送信モード１０が設定され、そして、ＤＣＩフォーマット２ＤでスケジュールされるＰＤＳＣＨを受信する移動局装置１に対して、ＰＤＳＣＨを受信するセルに対するＤＣＩフォーマット２Ｄから決定される‘PDSCH starting position for PDSCH RE mapping’の値が５である場合であり、そして、移動局装置１がセルに対してキャリアインディケータフィールドを設定されている場合であり、そして、移動局装置１がＰＤＳＣＨと当該ＰＤＳＣＨが対応するＰＤＣＣＨ／ＥＰＤＣＣＨとを異なるセルで受信する場合には、ＰＤＳＣＨを受信するセルに対する上位層パラメータpdsch-Startによってl'DataStartが与えられる。
【０１７４】
図２０において、送信モード１０が設定され、そして、ＤＣＩフォーマット２ＤでスケジュールされるＰＤＳＣＨを受信する移動局装置１に対して、ＰＤＳＣＨを受信するセルに対するＤＣＩフォーマット２Ｄから決定される‘PDSCH starting position for PDSCH RE mapping’の値が５である場合であり、そして、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、ＤＣＩフォーマット１Ａに対する上位層パラメータ‘PDSCH starting position for PDSCH RE mapping’の値が０、１、２、３、または、４である場合には、ＤＣＩフォーマット１Ａに対応する上位層パラメータ‘PDSCH starting position for PDSCH RE mapping’によってl'DataStartが与えられる。
【０１７５】
図２０において、送信モード１０が設定され、そして、ＤＣＩフォーマット２ＤでスケジュールされるＰＤＳＣＨを受信する移動局装置１に対して、ＰＤＳＣＨを受信するセルに対するＤＣＩフォーマット２Ｄから決定される‘PDSCH starting position for PDSCH RE mapping’の値が５である場合であり、そして、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、移動局装置１がＥＰＤＣＣＨでＤＣＩフォーマット２Ｄを検出した場合であり、そして、ＤＣＩフォーマット１Ａに対する上位層パラメータ‘PDSCH starting position for PDSCH RE mapping’の値が５である場合であり、そして、セルに対する上位層パラメータepdcch-Startに対する値を上位層によって設定されている場合には、セルに対する上位層パラメータepdcch-Start、または、ＥＰＤＣＣＨを受信したＥＰＤＣＣＨセットに対するepdcch-Startによってl'DataStartが与えられる。
【０１７６】
図２０において、送信モード１０が設定され、そして、ＤＣＩフォーマット２ＤでスケジュールされるＰＤＳＣＨを受信する移動局装置１に対して、ＰＤＳＣＨを受信するセルに対するＤＣＩフォーマット２Ｄから決定される‘PDSCH starting position for PDSCH RE mapping’の値が５である場合であり、そして、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、移動局装置１がＰＤＣＣＨでＤＣＩフォーマット２Ｄを検出した場合であり、そして、ＤＣＩフォーマット１Ａに対する上位層パラメータ‘PDSCH starting position for PDSCH RE mapping’の値が５である場合には、セルのＣＦＩによって与えられるＤＣＩのスパンによってl'DataStartが与えられる。
【０１７７】
図２０において、送信モード１０が設定され、そして、ＤＣＩフォーマット２ＤでスケジュールされるＰＤＳＣＨを受信する移動局装置１に対して、ＰＤＳＣＨを受信するセルに対するＤＣＩフォーマット２Ｄから決定される‘PDSCH starting position for PDSCH RE mapping’の値が５である場合であり、そして、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、移動局装置１がＥＰＤＣＣＨでＤＣＩフォーマット２Ｄを検出した場合であり、そして、ＤＣＩフォーマット１Ａに対する上位層パラメータ‘PDSCH starting position for PDSCH RE mapping’の値が５である場合であり、そして、セルに対する上位層パラメータepdcch-Startに対する値を上位層によって設定されていない場合には、セルのＣＦＩによって与えられるＤＣＩのスパンによってl'DataStartが与えられる。
【０１７８】
図２０において、ＰＤＳＣＨがＤＣＩフォーマット２Ｄによってスケジュールされており、そして、ＰＤＳＣＨを受信するセルに対するＤＣＩフォーマット２Ｄから決定される‘MBSFN subframe configuration for PDSCH RE mapping’によってサブフレームが指示されている場合、ＰＤＳＣＨがＤＣＩフォーマット１Ａによってスケジュールされており、そして、ＰＤＳＣＨを受信するセルに対するＤＣＩフォーマット１Ａに対する‘MBSFN subframe configuration for PDSCH RE mapping’によってサブフレームが指示されている場合には、数式（１）に基づいてlDataStartが与えられる。図２０において、それ以外の場合には、lDataStartにl'DataStartの値をセットする。
【０１７９】
当該「それ以外の場合」は、「ＰＤＳＣＨがＤＣＩフォーマット２Ｄによってスケジュールされており、そして、ＰＤＳＣＨを受信するセルに対するＤＣＩフォーマット２Ｄから決定される‘MBSFN subframe configuration for PDSCH RE mapping’によってサブフレームが指示されていない場合」、および、「ＰＤＳＣＨがＤＣＩフォーマット１Ａによってスケジュールされており、そして、ＰＤＳＣＨを受信するセルに対するＤＣＩフォーマット１Ａに対する‘MBSFN subframe configuration for PDSCH RE mapping’によってサブフレームが指示されていない場合」を含む。
【０１８０】
また、ＣＳＳでＤＣＩフォーマット１Ａを受信した場合には、セルのＣＦＩによって与えられるＤＣＩのスパンによってl'DataStartが与えられ、そして、ＵＳＳでＤＣＩフォーマット１Ａ／２Ｄを受信した場合には、図１７の例を適用してもよい。
【０１８１】
また、あるサブフレームの第１のスロットにおける前記物理下りリンク共用チャネルがマップされるリソースエレメントの開始位置は、ＰＤＳＣＨの送信に用いられるアンテナポートに基づいて決定されてもよい。
【０１８２】
アンテナポート０から３はＣＲＳ（Cell-specific Reference Signal）の送信に用いられる。ＣＲＳは、セルの全帯域に分散して配置される。
【０１８３】
アンテナポート７はＵＲＳ（UE-specific Reference Signal）の送信に用いられる。ＵＲＳは、ＰＤＳＣＨが配置される物理リソースブロック内に分散して配置される。
【０１８４】
ＭＢＳＦＮサブフレームにおいて、ＤＣＩフォーマット１ＡでスケジューリングされるＰＤＳＣＨはアンテナポート７で送信される。ｎｏｎ−ＭＢＳＦＮサブフレームにおいて、ＣＳＳで検出されたＤＣＩフォーマット１ＡでスケジューリングされるＰＤＳＣＨはアンテナポート０−３で送信される。
【０１８５】
ｎｏｎ−ＭＢＳＦＮサブフレームにおいて、ＵＳＳで検出されたＤＣＩフォーマット１ＡでスケジューリングされるＰＤＳＣＨはアンテナポート０−３で送信されてもよい。ｎｏｎ−ＭＢＳＦＮサブフレームにおいて、ＵＳＳで検出されたＤＣＩフォーマット１ＡでスケジューリングされるＰＤＳＣＨはアンテナポート７で送信されてもよい。
【０１８６】
例えば、送信モード１０が設定され、そして、ＤＣＩフォーマット１ＡでスケジュールされるＰＤＳＣＨを受信する移動局装置１に対して、ＰＤＳＣＨの送信にアンテナポート０−３が用いられる場合には、セルのＣＦＩによって与えられるＤＣＩのスパンによってlDataStartが与えられてもよい。
【０１８７】
例えば、送信モード１０が設定され、そして、ＤＣＩフォーマット１ＡでスケジュールされるＰＤＳＣＨを受信する移動局装置１に対して、ＰＤＳＣＨの送信にアンテナポート７が用いられる場合には、図１２から図１６の例に基づいてlDataStartが与えられてもよい。
【０１８８】
図２１は、あるセル対して送信モード１０が設定された移動局装置１に対する、ＤＣＩフォーマット１ＡによってスケジュールされるＰＤＳＣＨがマップされるＯＦＤＭシンボルの開始位置の第６の例を説明するための図である。
【０１８９】
図２１において、送信モード１０が設定され、そして、ＤＣＩフォーマット２ＤでスケジュールされるＰＤＳＣＨを受信する移動局装置１に対して、ＰＤＳＣＨの送信にアンテナポート０−３が用いられる場合には、セルのＣＦＩによって与えられるＤＣＩのスパンによってlDataStartが与えられてもよい。
【０１９０】
図２１において、送信モード１０が設定され、そして、ＤＣＩフォーマット２ＤでスケジュールされるＰＤＳＣＨを受信する移動局装置１に対して、ＰＤＳＣＨの送信にアンテナポート７が用いられる場合であり、そして、ＰＤＳＣＨを受信するセルに対するＤＣＩフォーマット１Ａに対応する‘PDSCH starting position for PDSCH RE mapping’の値が０、１、２、３、または、４である場合には、l'DataStartに‘PDSCH starting position for PDSCH RE mapping’の値をセットする。
【０１９１】
図２１において、送信モード１０が設定され、そして、ＤＣＩフォーマット２ＤでスケジュールされるＰＤＳＣＨを受信する移動局装置１に対して、ＰＤＳＣＨの送信にアンテナポート７が用いられる場合であり、そして、ＰＤＳＣＨを受信するセルに対するＤＣＩフォーマット１Ａに対応する‘PDSCH starting position for PDSCH RE mapping’の値が５である場合であり、そして、移動局装置１がセルに対してキャリアインディケータフィールドを設定されている場合であり、そして、移動局装置１がＰＤＳＣＨと当該ＰＤＳＣＨが対応するＰＤＣＣＨ／ＥＰＤＣＣＨとを異なるセルで受信する場合には、ＰＤＳＣＨを受信するセルに対する上位層パラメータpdsch-Startによってl'DataStartが与えられる。
【０１９２】
図２１において、送信モード１０が設定され、そして、ＤＣＩフォーマット２ＤでスケジュールされるＰＤＳＣＨを受信する移動局装置１に対して、ＰＤＳＣＨの送信にアンテナポート７が用いられる場合であり、そして、ＰＤＳＣＨを受信するセルに対するＤＣＩフォーマット１Ａに対応する‘PDSCH starting position for PDSCH RE mapping’の値が５である場合であり、そして、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合には、セルのＣＦＩによって与えられるＤＣＩのスパンによってl'DataStartが与えられる。
【０１９３】
図２１において、ＰＤＳＣＨを受信するセルに対するＤＣＩフォーマット１Ａに対応する‘MBSFN subframe configuration for PDSCH RE mapping’によってサブフレームが指示されている場合には、数式（１）に基づいてlDataStartが与えられる。図２１において、それ以外の場合には、lDataStartにl'DataStartの値をセットする。
【０１９４】
当該「それ以外の場合」は、「ＰＤＳＣＨを受信するセルに対するＤＣＩフォーマット１Ａに対応する‘MBSFN subframe configuration for PDSCH RE mapping’によってサブフレームが指示されていない場合」を含む。
【０１９５】
図２２は、あるセル対して送信モード１０が設定された移動局装置１に対する、ＤＣＩフォーマット１ＡによってスケジュールされるＰＤＳＣＨがマップされるＯＦＤＭシンボルの開始位置の第７の例を説明するための図である。
【０１９６】
図２２において、送信モード１０が設定され、そして、ＤＣＩフォーマット１ＡでスケジュールされるＰＤＳＣＨを受信する移動局装置１に対して、ＰＤＳＣＨの送信にアンテナポート０−３が用いられる場合には、セルのＣＦＩによって与えられるＤＣＩのスパンによってlDataStartが与えられてもよい。
【０１９７】
図２２において、送信モード１０が設定され、そして、ＤＣＩフォーマット１ＡでスケジュールされるＰＤＳＣＨを受信する移動局装置１に対して、ＰＤＳＣＨの送信にアンテナポート７が用いられる場合であり、そして、ＰＤＳＣＨを受信するセルに対するＤＣＩフォーマット１Ａに対応する‘PDSCH starting position for PDSCH RE mapping’の値が０、１、２、３、または、４である場合には、l'DataStartに‘PDSCH starting position for PDSCH RE mapping’の値をセットする。
【０１９８】
図２２において、送信モード１０が設定され、そして、ＤＣＩフォーマット１ＡでスケジュールされるＰＤＳＣＨを受信する移動局装置１に対して、ＰＤＳＣＨの送信にアンテナポート７が用いられる場合であり、そして、ＰＤＳＣＨを受信するセルに対するＤＣＩフォーマット１Ａに対応する‘PDSCH starting position for PDSCH RE mapping’の値が５である場合であり、そして、移動局装置１がセルに対してキャリアインディケータフィールドを設定されている場合であり、そして、移動局装置１がＰＤＳＣＨと当該ＰＤＳＣＨが対応するＰＤＣＣＨ／ＥＰＤＣＣＨとを異なるセルで受信する場合には、ＰＤＳＣＨを受信するセルに対する上位層パラメータpdsch-Startによってl'DataStartが与えられる。
【０１９９】
図２２において、送信モード１０が設定され、そして、ＤＣＩフォーマット１ＡでスケジュールされるＰＤＳＣＨを受信する移動局装置１に対して、ＰＤＳＣＨの送信にアンテナポート７が用いられる場合であり、そして、ＰＤＳＣＨを受信するセルに対するＤＣＩフォーマット１Ａに対応する‘PDSCH starting position for PDSCH RE mapping’の値が５である場合であり、そして、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、移動局装置１がＥＰＤＣＣＨでＤＣＩフォーマット１Ａを検出した場合であり、そして、セルに対する上位層パラメータepdcch-Startに対する値を上位層によって設定されている場合には、セルに対する上位層パラメータepdcch-Start、または、ＥＰＤＣＣＨを受信したＥＰＤＣＣＨセットに対するepdcch-Startによってl'DataStartが与えられる。
【０２００】
図２２において、送信モード１０が設定され、そして、ＤＣＩフォーマット１ＡでスケジュールされるＰＤＳＣＨを受信する移動局装置１に対して、ＰＤＳＣＨの送信にアンテナポート７が用いられる場合であり、そして、ＰＤＳＣＨを受信するセルに対するＤＣＩフォーマット１Ａに対応する‘PDSCH starting position for PDSCH RE mapping’の値が５である場合であり、そして、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、移動局装置１がＰＤＣＣＨでＤＣＩフォーマット１Ａを検出した場合には、セルのＣＦＩによって与えられるＤＣＩのスパンによってl'DataStartが与えられる。
【０２０１】
図２２において、送信モード１０が設定され、そして、ＤＣＩフォーマット１ＡでスケジュールされるＰＤＳＣＨを受信する移動局装置１に対して、ＰＤＳＣＨの送信にアンテナポート７が用いられる場合であり、そして、ＰＤＳＣＨを受信するセルに対するＤＣＩフォーマット１Ａに対応する‘PDSCH starting position for PDSCH RE mapping’の値が５である場合であり、そして、移動局装置１がセルに対してキャリアインディケータフィールドを設定されていない、または、移動局装置１がＰＤＳＣＨと当該ＰＤＳＣＨが対応するＰＤＣＣＨ／ＥＰＤＣＣＨとを同じセルで受信する場合であり、そして、移動局装置１がＥＰＤＣＣＨでＤＣＩフォーマット１Ａを検出した場合であり、そして、セルに対する上位層パラメータepdcch-Startに対する値を上位層によって設定されていない場合には、セルのＣＦＩによって与えられるＤＣＩのスパンによってl'DataStartが与えられる。
【０２０２】
図２２において、ＰＤＳＣＨを受信するセルに対するＤＣＩフォーマット１Ａに対応する‘MBSFN subframe configuration for PDSCH RE mapping’によってサブフレームが指示されている場合には、数式（１）に基づいてlDataStartが与えられる。図２２において、それ以外の場合には、lDataStartにl'DataStartの値をセットする。
【０２０３】
当該「それ以外の場合」は、「ＰＤＳＣＨを受信するセルに対するＤＣＩフォーマット１Ａに対応する‘MBSFN subframe configuration for PDSCH RE mapping’によってサブフレームが指示されていない場合」を含む。
【０２０４】
以下、本実施形態の装置構成について説明する。
【０２０５】
図２３は、本実施形態の移動局装置１の構成を示す概略ブロック図である。図示するように、移動局装置１は、上位層処理部１０１、制御部１０３、受信部１０５、送信部１０７と送受信アンテナ１０９を含んで構成される。また、上位層処理部１０１は、無線リソース制御部１０１１、リソース決定部１０１３と設定部１０１５を含んで構成される。また、受信部１０５は、復号化部１０５１、復調部１０５３、デマッピング部１０５５、無線受信部１０５７、チャネル測定部１０５９と検出部１０６１とを含んで構成される。また、送信部１０７は、符号化部１０７１、変調部１０７３、マッピング部１０７５、無線送信部１０７７と上りリンク参照信号生成部１０７９とを含んで構成される。
【０２０６】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、無線リソース制御部１０１１は、上りリンクの各チャネルに配置される情報を生成し、送信部１０７に出力する。
【０２０７】
上位層処理部１０１が備えるリソース決定部１０１３は、下りリンク物理チャネルおよび下りリンク物理信号のデマップを行なうリソースエレメントを決定する。リソース決定部１０１３は、制御部１０３を介して、下りリンク物理チャネルおよび下りリンク物理信号を下りリンクのリソースエレメントからデマップ（抽出）するようデマッピング部１０５５に指示をする。例えば、リソース決定部１０１３は、図１０から図２２の何れかの例を用いてＰＤＳＣＨをデマップするリソースエレメントを決定する。
【０２０８】
また、リソース決定部１０１３は、上りリンク物理チャネルおよび上りリンク物理信号をマップするリソースエレメントを決定する。リソース決定部１０１３は、制御部１０３を介して、上りリンク物理チャネルおよび上りリンク物理信号を上りリンクのリソースエレメントにマップするようマッピング部１０７５に指示をする。
【０２０９】
上位層処理部１０１が備える設定部１０１５は、自装置の各種設定情報の管理をする。例えば、設定部１０１５は、基地局装置３から受信した上位層の信号に応じて、各種設定を行なう。
【０２１０】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０２１１】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【０２１２】
無線受信部１０５７は、送受信アンテナ１０９を介して受信した下りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行ない、周波数領域の信号を抽出する。
【０２１３】
デマッピング部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、デマッピング部１０５５は、チャネル測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、デマッピング部１０５５は、分離した下りリンク参照信号をチャネル測定部１０５９に出力する。
【０２１４】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。
【０２１５】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行ない、復号した下りリンクデータ（トランスポートブロック）を上位層処理部１０１へ出力する。
【０２１６】
チャネル測定部１０５９は、デマッピング部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、デマッピング部１０５５へ出力する。
【０２１７】
検出部１０６１は、ＰＤＣＣＨおよび／またはＥＰＤＣＣＨで下りリンク制御情報の検出を行ない、そして、検出した下りリンク制御情報を上位層処理部１０１に出力する。検出部１０６１は、ＰＤＣＣＨおよび／またはＥＰＤＣＣＨに対して、ＱＰＳＫ変調方式の復調および復号を行なう。検出部１０６１は、ＰＤＣＣＨおよび／またはＥＰＤＣＣＨのブラインドデコーディングを試み、ブラインドデコーディングに成功した場合、下りリンク制御情報を上位層処理部１０１に出力する。
【０２１８】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【０２１９】
符号化部１０７１は、上位層処理部１０１から入力された上りリンク制御情報を畳込み符号化、ブロック符号化等の符号化を行なう。また、符号化部１０７１は、ＰＵＳＣＨのスケジューリングに用いられる情報に基づきターボ符号化を行なう。
【０２２０】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ  ＳＭ（Multiple Input Multiple Output Spatial Multiplexing）を用いることにより同一のＰＵＳＣＨで送信される複数の上りリンクデータを、複数の系列にマッピングし、この系列に対してプレコーディング（precoding）を行なう。変調部１０７３は、サイクリックシフト、および／または、直交系列を用いてＰＵＣＣＨを拡散する。
【０２２１】
上りリンク参照信号生成部１０７９は、基地局装置３を識別するための物理レイヤセルアイデンティティ（Physical layer Cell Identity: PCI）または仮想セルアイデンティティなどを基に、参照信号の系列を生成する。
【０２２２】
マッピング部１０７５は、制御部１０３から入力された制御信号に従って、ＰＵＳＣＨの変調シンボルを並列に並び替えてから離散フーリエ変換（Discrete Fourier Transform: DFT）する。また、マッピング部１０７５は、ＰＵＣＣＨとＰＵＳＣＨの信号と生成した上りリンク参照信号を送信アンテナポート毎に多重する。つまり、マッピング部１０７５は、ＰＵＣＣＨとＰＵＳＣＨの信号と生成した上りリンク参照信号を送信アンテナポート毎にリソースエレメントに配置（マップ）する。
【０２２３】
無線送信部１０７７は、多重された信号を逆高速フーリエ変換（Inverse Fast Fourier Transform: IFFT）して、ＳＣ−ＦＤＭＡ方式の変調を行ない、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０２２４】
図２４は、本実施形態の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、スケジューリング部３０１３と設定部３０１５とを含んで構成される。また、受信部３０５は、復号化部３０５１、復調部３０５３、デマッピング部３０５５、無線受信部３０５７とチャネル測定部３０５９を含んで構成される。また、送信部３０７は、符号化部３０７１、変調部３０７３、マッピング部３０７５、無線送信部３０７７と下りリンク参照信号生成部３０７９を含んで構成される。
【０２２５】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０２２６】
上位層処理部３０１が備える無線リソース制御部３０１１は、下りリンクのＰＤＳＣＨに配置される下りリンクデータ（トランスポートブロック）、システムインフォメーションブロック、ＲＲＣシグナル、ＭＡＣ  ＣＥ（Control Element）などを生成し、又は上位ノードから取得し、送信部３０７に出力する。また、無線リソース制御部３０１１は、移動局装置１各々の各種設定情報の管理をする。
【０２２７】
上位層処理部３０１が備えるスケジューリング部３０１３は、チャネル測定部３０５９から入力された伝搬路の推定値やチャネルの品質などから、物理チャネル（ＰＤＳＣＨおよびＰＵＳＣＨ）を割り当てる周波数およびサブフレームおよびリソースエレメント、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報を生成し、制御部３０３に出力する。また、スケジューリング部３０１３は、物理チャネル（ＰＤＳＣＨおよびＰＵＳＣＨ）のスケジューリング結果を制御情報生成部３０１５へ出力する。
【０２２８】
スケジューリング部３０１３は、制御部１０３を介して、下りリンク物理チャネルおよび下りリンク物理信号を下りリンクのリソースエレメントにマップするようマッピング部３０７５に指示をする。例えば、スケジューリング部３０１３は、図１０から図２２の何れかの例を用いてＰＤＳＣＨをマップするリソースエレメントを決定する。
【０２２９】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０２３０】
受信部３０５は、制御部３０３から入力された制御信号に従って、送受信アンテナ３０９を介して移動局装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０２３１】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行ない、周波数領域の信号を抽出しデマッピング部３０５５に出力する。
【０２３２】
デマッピング部３０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行なわれる。また、デマッピング部３０５５は、チャネル測定部３０５９から入力された伝搬路の推定値から、ＰＵＣＣＨとＰＵＳＣＨの伝搬路の補償を行なう。また、デマッピング部３０５５は、分離した上りリンク参照信号をチャネル測定部３０５９に出力する。
【０２３３】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が移動局装置１各々に上りリンクグラントで予め通知した変調方式を用いて受信信号の復調を行なう。復調部３０５３は、移動局装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０２３４】
復号化部３０５１は、復調されたＰＵＣＣＨとＰＵＳＣＨの符号化ビットを、予め定められた符号化方式の、予め定められた、又は自装置が移動局装置１に上りリンクグラントで予め通知した符号化率で復号を行ない、復号した上りリンクデータと、上りリンク制御情報を上位層処理部３０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、デマッピング部３０５５から入力された上りリンク参照信号から伝搬路の推定値、チャネルの品質などを測定し、デマッピング部３０５５および上位層処理部３０１に出力する。
【０２３５】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ３０９を介して移動局装置１に信号を送信する。
【０２３６】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０２３７】
下りリンク参照信号生成部３０７９は、基地局装置３を識別するための物理セル識別子（ＰＣＩ）などを基に予め定められた規則で求まる、移動局装置１が既知の系列を下りリンク参照信号として生成する。マッピング部３０７５は、変調された各チャネルの変調シンボルと生成された下りリンク参照信号を多重する。つまり、マッピング部３０７５は、変調された各チャネルの変調シンボルと生成された下りリンク参照信号をリソースエレメントに配置する。
【０２３８】
無線送信部３０７７は、多重された変調シンボルなどを逆高速フーリエ変換（Inverse Fast Fourier Transform: IFFT）して、ＯＦＤＭ方式の変調を行ない、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０２３９】
上述したように、本実施形態の移動局装置１と基地局装置３は、あるサブフレームの第１のスロットにおけるＰＤＳＣＨがマップされるリソースエレメントの開始位置を、ＰＤＳＣＨでの送信に対する送信モード、ＰＤＳＣＨのスケジューリングに使用されたＤＣＩフォーマット、ＰＤＳＣＨの送信に使用された下りリンク物理チャネル、ＤＣＩフォーマットを検出したサーチスペース、および、ＰＤＳＣＨの送信に用いられるアンテナポート、の少なくとも１つに基づいて決定する。
【０２４０】
また、通常の動的なスケジューリング（通常の端末識別子でマスクされたＤＣＩフォーマット（例えば，ＰＤＣＣＨやＥＰＤＣＣＨで送信される，Ｃ−ＲＮＴＩによってスクランブルされたＣＲＣパリティビットが付加されたＤＣＩフォーマット）によるスケジューリング、１つのサブフレーム中にトリガーするＤＣＩフォーマットとトリガーされるＰＤＳＣＨが配置されるスケジューリング）を行なう場合か準定常的なスケジューリング（準定常的なスケジューリング用の端末識別子でマスクされたＤＣＩフォーマット（例えば，ＰＤＣＣＨやＥＰＤＣＣＨで送信される，ＳＰＳ  Ｃ−ＲＮＴＩによってスクランブルされたＣＲＣパリティビットが付加されたＤＣＩフォーマット）によるスケジューリング、１つのサブフレームにおけるＤＣＩフォーマットにより複数のサブフレームにおけるＰＤＳＣＨをトリガーすることができるスケジューリング）を行なう場合かで、さらに、ＰＤＳＣＨの受信に関連する動作を切り替えることもできる。
【０２４１】
（Ａ）本実施形態の端末装置は、あるサブフレームの第１のスロットにおける前記物理下りリンク共用チャネルがマップされるリソースエレメントの開始位置を、前記物理下りリンク共用チャネルでの送信に対する送信モード、前記物理下りリンク共用チャネルのスケジューリングに使用された下りリンク制御情報フォーマット、前記下りリンク制御情報フォーマットの送信に使用された下りリンク物理チャネル、前記下りリンク制御情報フォーマットを検出したサーチスペース、の少なくとも１つに基づいて決定する。
【０２４２】
（Ｂ）上述の端末装置において、前記物理下りリンク共用チャネルがマップされるリソースエレメントの開始位置は、上位層によって設定されるパラメータに基づいて決定される。
【０２４３】
（Ｃ）上述の端末装置において、前記物理下りリンク共用チャネルがマップされるリソースエレメントの開始位置は、物理制御フォーマットインディケータチャネルで送信される情報に基づいて決定される。
【０２４４】
（Ｄ）上述の端末装置において、前記物理下りリンク共用チャネルがマップされるリソースエレメントの開始位置は、前記下りリンク制御情報フォーマットに含まれる制御情報に基づいて決定される。
【０２４５】
（Ｅ）上述の端末装置において、前記下りリンク制御情報フォーマットの送信に使用された下りリンク物理チャネルは、物理下りリンク制御チャネルまたはエンハンスト物理下りリンク制御チャネルである。
【０２４６】
（Ｆ）上述の端末装置において、前記下りリンク制御情報フォーマットを検出したサーチスペースは、コモンサーチスペースまたはユーザ装置スペシフィックサーチスペースである。
【０２４７】
（Ｇ）本実施形態の基地局装置は、あるサブフレームの第１のスロットにおいて、前記物理下りリンク共用チャネルでの送信に対する送信モード、前記物理下りリンク共用チャネルのスケジューリングに使用した下りリンク制御情報フォーマット、前記下りリンク制御情報フォーマットの送信に使用した下りリンク物理チャネル、前記端末装置が前記下りリンク制御情報フォーマットを検出したサーチスペース、の少なくとも１つに基づいて決定される開始位置から前記物理下りリンク共用チャネルをリソースエレメントに配置する。
【０２４８】
（Ｈ）上述の基地局装置において、前記物理下りリンク共用チャネルがマップされるリソースエレメントの開始位置は、上位層によって設定されるパラメータに基づいて決定される。
【０２４９】
（Ｉ）上述の基地局装置において、前記物理下りリンク共用チャネルがマップされるリソースエレメントの開始位置は、物理制御フォーマットインディケータチャネルで送信される情報に基づいて決定される。
【０２５０】
（Ｊ）上述の基地局装置において、前記物理下りリンク共用チャネルがマップされるリソースエレメントの開始位置は、前記下りリンク制御情報フォーマットに含まれる制御情報に基づいて決定される。
【０２５１】
（Ｋ）上述の基地局装置において、前記下りリンク制御情報フォーマットの送信に使用された下りリンク物理チャネルは、物理下りリンク制御チャネルまたはエンハンスト物理下りリンク制御チャネルである。
【０２５２】
（Ｌ）上述の基地局装置において、前記下りリンク制御情報フォーマットを検出したサーチスペースは、コモンサーチスペースまたはユーザ装置スペシフィックサーチスペースである。
【０２５３】
これにより、基地局装置３と端末装置１が、ＰＤＳＣＨがマップされるリソースエレメントの開始位置を決定し、効率的に通信することができる。
【０２５４】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であってもよい。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行なわれる。
【０２５５】
尚、上述した実施形態における移動局装置１、基地局装置３の一部、をコンピュータで実現するようにしてもよい。その場合、この制御機能を実現するためのプログラムをコンピュータが読み取り可能な記録媒体に記録して、この記録媒体に記録されたプログラムをコンピュータシステムに読み込ませ、実行することによって実現してもよい。
【０２５６】
尚、ここでいう「コンピュータシステム」とは、移動局装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２５７】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０２５８】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる移動局装置１は、集合体としての基地局装置と通信することも可能である。
【０２５９】
また、上述した実施形態における移動局装置１、基地局装置３の一部、又は全部を典型的には集積回路であるＬＳＩとして実現してもよいし、チップセットとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いることも可能である。
【０２６０】
また、上述した実施形態では、端末装置もしくは通信装置の一例として移動局装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２６１】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２６２】
１（１Ａ、１Ｂ、１Ｃ）  移動局装置
３  基地局装置
１０１  上位層処理部
１０３  制御部
１０５  受信部
１０７  送信部
１０９  送受信アンテナ
１０１１  無線リソース制御部
１０１３  リソース決定部
１０１５  設定部
１０５１  復号化部
１０５３  復調部
１０５５  デマッピング部
１０５７  無線受信部
１０５９  チャネル測定部
１０６１  検出部
１０７１  符号化部
１０７３  変調部
１０７５  マッピング部
１０７７  無線送信部
１０７９  上りリンク参照信号生成部
３０１  上位層処理部
３０３  制御部
３０５  受信部
３０７  送信部
３０９  送受信アンテナ
３０１１  無線リソース制御部
３０１３  スケジューリング部
３０１５  設定部
３０５１  復号化部
３０５３  復調部
３０５５  デマッピング部
３０５７  無線受信部
３０５９  チャネル測定部
３０７１  符号化部
３０７３  変調部
３０７５  マッピング部
３０７７  無線送信部
３０７９  下りリンク参照信号生成部
【図１】
2014069601.tif 000004
【図２】
2014069601.tif 000005
【図３】
2014069601.tif 000006
【図４】
2014069601.tif 000007
【図５】
2014069601.tif 000008
【図６】
2014069601.tif 000009
【図７】
2014069601.tif 000010
【図８】
2014069601.tif 000011
【図９】
2014069601.tif 000012
【図１０】
2014069601.tif 000013
【図１１】
2014069601.tif 000014
【図１２】
2014069601.tif 000015
【図１３】
2014069601.tif 000016
【図１４】
2014069601.tif 000017
【図１５】
2014069601.tif 000018
【図１６】
2014069601.tif 000019
【図１７】
2014069601.tif 000020
【図１８】
2014069601.tif 000021
【図１９】
2014069601.tif 000022
【図２０】
2014069601.tif 000023
【図２１】
2014069601.tif 000024
【図２２】
2014069601.tif 000025
【図２３】
2014069601.tif 000026
【図２４】
2014069601.tif 000027
【国際調査報告】
2014069601.tif 000028
2014069601.tif 000029
2014069601.tif 000030
2014069601.tif 000031